(57)【要約】  スピーカ装置を小型化すること、薄型化すること、軽量化すること、内周縁と外周縁との間に頂部を有する振動板を用いた場合であっても、音圧の高域特性を向上すること、高品質に音を再生すること等。  スピーカ装置１００は、内周縁８ａがボイスコイルボビン６に連結され、外周縁８ｂがエッジ９を介してフレーム５に連結される振動板を有し、この振動板８は、内周縁８ａと外周縁８ｂの間に頂部８ｃが形成されるものであり、内周縁８ａ及び外周縁８ｂは頂部８ｃに比して音響放射側に位置し、振動板８の頂部８ｃから内周縁８ａ側の断面形状が音響放射側に凸形状に形成され、かつ、振動板８の頂部８ｃから外周縁８ｂ側の断面形状が略直線状又は音響放射側に凸形状に形成されているので、振動板８を薄型化した場合であっても、高品質に音を再生することができる。特に、音圧の高域特性を向上することができる。
2007135746.tif 000002
【特許請求の範囲】
【請求項１】
内周縁がボイスコイルボビンに連結され外周縁がエッジを介してフレームに連結される振動板を有するスピーカ装置であって、
前記振動板は前記内周縁と前記外周縁の間に頂部が形成されるものであり、前記内周縁及び外周縁は前記頂部に比して音響放射側に位置し、
前記振動板の前記頂部から内周縁側の断面形状が前記音響放射側に凸形状に形成され、かつ、前記振動板の前記頂部から外周縁側の断面形状が略直線状又は前記音響放射側に凸形状に形成されていることを特徴とするスピーカ装置。
【請求項２】
前記振動板は、前記内周縁と前記外周縁の間に頂部が形成されるものであり、前記内周縁及び外周縁は前記頂部に比して音響放射側に位置し、
前記内周縁から前記頂部に径方向に沿った長さは、前記頂部から前記外周縁に径方向に沿った長さより短いことを特徴とする請求項１に記載のスピーカ装置。
【請求項３】
前記振動板は、前記内周縁と前記外周縁の間に頂部が形成されるものであり、前記内周縁及び前記外周縁が前記頂部に比して音響放射側に位置し、前記振動板の前記外周縁の直径は、前記振動板の前記外周縁の高さの４倍以下であることを特徴とする請求項１又は請求項２に記載のスピーカ装置。
【請求項４】
内周縁がボイスコイルボビンに連結され外周縁がエッジを介してフレームに連結される振動板を有するスピーカ装置であって、
前記振動板は、前記内周縁と前記外周縁の間に頂部が形成されるものであり、前記内周縁及び外周縁は前記頂部に比して音響放射側に位置し、
前記内周縁から前記頂部に径方向に沿った長さは、前記頂部から前記外周縁に径方向に沿った長さより短いことを特徴とするスピーカ装置。
【請求項５】
内周縁がボイスコイルボビンに連結され外周縁がエッジを介してフレームに連結される振動板を有するスピーカ装置であって、
前記振動板は、前記内周縁と前記外周縁の間に頂部が形成されるものであり、前記内周縁及び前記外周縁が前記頂部に比して音響放射側に位置し、前記振動板の前記外周縁の直径は、前記振動板の前記外周縁の高さの４倍以下であることを特徴とするスピーカ装置。
【請求項６】
前記振動板の外周縁の高さは、前記振動板の頂部から前記振動板の外周縁までの音響放射方向に沿った距離であることを特徴とする請求項５に記載のスピーカ装置。
【請求項７】
前記ボイスコイルボビンに配置されたボイスコイルを駆動する内磁型磁気回路を有することを特徴とする請求項１、請求項４、および請求項５の何れかに記載のスピーカ装置。
【請求項８】
前記振動板の頂部にダンパの内周縁が固定されていることを特徴とする請求項１、請求項４、および請求項５の何れかに記載のスピーカ装置。
【発明の詳細な説明】
【技術分野】
【０００１】
本発明は、スピーカ装置に関するものである。
【背景技術】
【０００２】
オーディオシステム等の音響機器に装備されるスピーカ装置は、アンプからの音声信号（電気エネルギ）を音（音響エネルギ）に変換するいわゆる電気−音響変換器である。スピーカ装置を動作原理により大別すると、動電型、静電型、圧電型、放電型、電磁型等に分けられるが、現在は再生周波数帯域、変換効率等の緒条件を兼ね備えた動電型（ダイナミック型）が主流を占めている。【０００３】
従来の動電型スピーカ装置の一例として、いわゆるコーン型スピーカが知られている。スピーカ装置は、例えばオーディオシステムの一部として単体で用いられるほか自動車のドア内や平面型の電子表示装置の筐体内、その他各種形態を有する筐体内の狭い空間内等に取り付けて装備されることが多い。その場合には、スピーカ装置は、限られた寸法の筐体内に取り付けやすいように、その高さをできるだけ低く抑えて薄型に形成する必要があるが、コーン型スピーカでは薄型化が困難である。【０００４】
例えば特許文献１により開示されたスピーカ装置では、内周縁と外周縁との間に頂部を有する振動板を備えるスピーカ装置が開示されている。つまりこのスピーカ装置では、振動板が頂部で折り返された断面形状を備えるので、一般的なコーン状振動板を備えるスピーカ装置と比べて薄型化することができる。【０００５】
【特許文献１】特許第３６４３８５５号公報
【発明の開示】
【発明が解決しようとする課題】
【０００６】
しかし、上述した特許文献１に記載されたスピーカ装置では、振動板が頂部にて単純に折り返した形状に形成した結果、音圧の周波数特性が劣化する、特に高域特性が劣化する虞があり、高域特性の改善が望まれている。
また、スピーカ装置が装着される筐体の小型化や省スペース化、等により更なるスピーカ装置の小型化や薄型化が望まれているが、上述したスピーカ装置では、上記形状の振動板を外磁型磁気回路により駆動しているために、ボイスコイルの径方向外側に、外磁型磁気回路のリング状磁石やリング状プレートが形成されているので、スピーカ装置を小型化することや薄型化することが困難であった。
また外磁型磁気回路のリング状磁石は、比較的重量が重い。またリング状磁石を単純に小型化すると磁気ギャップ間の磁束が低減してしまい、振動板の駆動力が低下して、再生音の音質が低下する虞がある。【０００７】
本発明は、このような問題に対処することを課題の一例とするものである。すなわち、スピーカ装置を小型化すること、薄型化すること、軽量化すること、内周縁と外周縁との間に頂部を有する振動板を用いた場合であっても、音圧の高域特性を向上すること、高品質に音を再生すること、等が本発明の目的である。
【課題を解決するための手段】
【０００８】
このような目的を達成するために、本発明は、以下の各独立請求項に係る構成を少なくとも具備するものである。
請求項１に記載の発明は、内周縁がボイスコイルボビンに連結され外周縁がエッジを介してフレームに連結される振動板を有するスピーカ装置であって、前記振動板は前記内周縁と前記外周縁の間に頂部が形成されるものであり、前記内周縁及び外周縁は前記頂部に比して音響放射側に位置し、前記振動板の前記頂部から内周縁側の断面形状が前記音響放射側に凸形状に形成され、かつ、前記振動板の前記頂部から外周縁側の断面形状が略直線状又は前記音響放射側に凸形状に形成されていることを特徴とする。【０００９】
請求項４に記載の発明は、内周縁がボイスコイルボビンに連結され外周縁がエッジを介してフレームに連結される振動板を有するスピーカ装置であって、前記振動板は、前記内周縁と前記外周縁の間に頂部が形成されるものであり、前記内周縁及び外周縁は前記頂部に比して音響放射側に位置し、前記内周縁から前記頂部に径方向に沿った長さは、前記頂部から前記外周縁に径方向に沿った長さより短いことを特徴とする。【００１０】
請求項５に記載の発明は、内周縁がボイスコイルボビンに連結され外周縁がエッジを介してフレームに連結される振動板を有するスピーカ装置であって、前記振動板は、前記内周縁と前記外周縁の間に頂部が形成されるものであり、前記内周縁及び前記外周縁が前記頂部に比して音響放射側に位置し、前記振動板の前記外周縁の直径は、前記振動板の前記外周縁の高さの４倍以下であることを特徴とする。
【図面の簡単な説明】
【００１１】
【図１】本発明の一実施形態に係るスピーカ装置１００を説明するための図であり、スピーカ装置１００の表側（音響放射側）からみた正面図である。
【図２】図１に示したスピーカ装置１００のＡ−Ａ線に沿った断面図である。
【図３】本発明の他の実施形態に係るスピーカ装置１００ａを説明するための断面図である。
【図４】（Ａ）〜（Ｃ）は、図１に示したスピーカ装置１００の振動板を説明するための図である。（Ａ）はスピーカ装置１００の振動板の断面形状の一具体例を説明する断面図であり、（Ｂ）はスピーカ装置１００の振動板の断面形状の他の具体例を説明するための断面図であり、（Ｃ）は（Ａ）に示した振動板の断面形状を詳細に説明するための図である。
【図５】（Ａ），（Ｂ）は磁気回路の磁束密度のシミュレーション結果を説明するための図である。
【図６】図５（Ａ），図５（Ｂ）に示した磁気回路４の磁気ギャップ４ｇでの磁束密度の分布を説明するための図である。
【図７】（Ａ）は内側振動板部８１の断面形状が略直線形状に形成されるとともに外側振動板部８２の断面形状が音響放射側に凹形状に形成された比較対象としての振動板を示す図であり、（Ｂ）は（Ａ）に示した振動板を採用したスピーカ装置の音圧周波数特性のシミュレーション結果を示す図である。
【図８】（Ａ）は内側振動板部８１の断面形状が凸形状に形成されるとともに外側振動板部８２の断面形状が音響放射側に凸形状に形成された振動板を示す図であり、（Ｂ）は（Ａ）に示した振動板を採用したスピーカ装置の音圧周波数特性のシミュレーション結果を示す図である。
【図９】（Ａ）は内側振動板部８１の断面形状が凸形状に形成されるとともに外側振動板部８２の断面形状が略直線形状に形成された振動板を示す図であり、（Ｂ）は（Ａ）に示した振動板を採用したスピーカ装置の音圧周波数特性のシミュレーション結果を示す図である。
【図１０】（Ａ）は内側振動板部８１の断面形状が略直線状に形成されるとともに外側振動板部８２の断面形状が略直線形状に形成され、内側振動板部８１の長さＡ（ｒ８１）が、外側振動板部８２の長さＢ（ｒ８２）よりも長い振動板を示す図であり、（Ｂ）は（Ａ）に示した振動板を採用したスピーカ装置の音圧周波数特性のシミュレーション結果を示す図である。
【図１１】（Ａ）は内側振動板部８１の断面形状が略直線状に形成されるとともに外側振動板部８２の断面形状が略直線形状に形成され、内側振動板部８１の長さＡ（ｒ８１）が、外側振動板部８２の長さＢ（ｒ８２）と同じ長さの振動板を示す図であり、（Ｂ）は（Ａ）に示した振動板を採用したスピーカ装置の音圧周波数特性のシミュレーション結果を示す図である。
【図１２】（Ａ）は内側振動板部８１の断面形状が略直線状に形成されるとともに外側振動板部８２の断面形状が略直線形状に形成され、内側振動板部８１の長さＡ（ｒ８１）が、外側振動板部８２の長さＢ（ｒ８２）より短い振動板を示す図であり、（Ｂ）は（Ａ）に示した振動板を採用したスピーカ装置の音圧周波数特性のシミュレーション結果を示す図である。
【図１３】（Ａ）は内側振動板部８１の断面形状が略直線状に形成されるとともに外側振動板部８２の断面形状が略直線形状に形成され、振動板の外周縁の直径（外径）が振動板の外周縁の高さｄ８の４．８倍に形成された振動板を示す図であり、（Ｂ）は（Ａ）に示した振動板を採用したスピーカ装置の音圧周波数特性のシミュレーション結果を示す図である。
【図１４】（Ａ）は内側振動板部８１の断面形状が略直線状に形成されるとともに外側振動板部８２の断面形状が略直線形状に形成され、振動板の外周縁の直径（外径）が振動板の外周縁の高さｄ８の３．８倍に形成された振動板を示す図であり、（Ｂ）は（Ａ）に示した振動板を採用したスピーカ装置の音圧周波数特性のシミュレーション結果を示す図である。
【図１５】（Ａ）は内側振動板部８１の断面形状が略直線状に形成されるとともに外側振動板部８２の断面形状が略直線形状に形成され、振動板の外周縁の直径（外径）が振動板の外周縁の高さｄ８の３．２倍に形成された振動板を示す図であり、（Ｂ）は（Ａ）に示した振動板を採用したスピーカ装置の音圧周波数特性のシミュレーション結果を示す図である。
【発明を実施するための最良の形態】
【００１２】
本発明の一実施形態に係るスピーカ装置は、内周縁がボイスコイルボビンに連結され外周縁がエッジを介してフレームに連結される振動板を有するスピーカ装置であって、振動板は内周縁と外周縁の間に頂部が形成されるものであり、内周縁及び外周縁は頂部に比して音響放射側に位置し、振動板の頂部から内周縁側の断面形状が音響放射側に凸形状に形成され、かつ、振動板の頂部から外周縁側の断面形状が略直線状又は音響放射側に凸形状に形成されていることを特徴とする。
上記構成のスピーカ装置では、振動板が、内周縁と外周縁の間に頂部が形成されるものであり、内周縁及び外周縁は頂部に比して音響放射側に位置し、振動板の頂部から内周縁側の断面形状が音響放射側に凸形状に形成され、かつ、振動板の頂部から外周縁側の断面形状が略直線状又は音響放射側に凸形状に形成されているので、振動板を薄型化した場合であっても、高品質に音を再生することができる。特に、音圧の高域特性を向上することができる。【００１３】
また、本発明の一実施形態に係るスピーカ装置は、内周縁がボイスコイルボビンに連結され外周縁がエッジを介してフレームに連結される振動板を有するスピーカ装置であって、振動板は、内周縁と外周縁の間に頂部が形成されるものであり、内周縁及び外周縁は頂部に比して音響放射側に位置し、内周縁から頂部に径方向に沿った長さは、頂部から外周縁に径方向に沿った長さより短いことを特徴とする。
上記構成のスピーカ装置では、振動板が、内周縁と外周縁の間に頂部が形成されるものであり、内周縁及び外周縁は頂部に比して音響放射側に位置し、内周縁から頂部に径方向に沿った長さは、頂部から外周縁に径方向に沿った長さより短いので、振動板を薄型化した場合であっても、高品質に音を再生することができる。特に、音圧の高域特性を向上することができる。【００１４】
また、本発明の一実施形態に係るスピーカ装置は、内周縁がボイスコイルボビンに連結され外周縁がエッジを介してフレームに連結される振動板を有するスピーカ装置であって、振動板は、内周縁と外周縁の間に頂部が形成されるものであり、内周縁及び外周縁が頂部に比して音響放射側に位置し、振動板の外周縁の直径は、振動板の外周縁の高さの４倍以下であることを特徴とする。
上記構成のスピーカ装置では、振動板が、内周縁と外周縁の間に頂部が形成されるものであり、内周縁及び外周縁が頂部に比して音響放射側に位置し、振動板の外周縁の直径は、振動板の外周縁の高さの４倍以下であるので、振動板を薄型化した場合であっても、高品質に音を再生することができる。特に、音圧の高域特性を向上することができる。【００１５】
以下、本発明の一実施形態に係るスピーカ装置を図面を参照しながら説明する。【００１６】
図１は本発明の一実施形態に係るスピーカ装置１００を説明するための図である。詳細には図１はスピーカ装置１００の表側（音響放射側）からみた正面図である。図２は図１に示したスピーカ装置１００のＡ−Ａ線に沿った断面図である。図３は、本発明の他の実施形態に係るスピーカ装置１００ａを説明するための断面図である。【００１７】
スピーカ装置１００は、ヨーク１、プレート２、磁石３を備える内磁型磁気回路４と、フレーム（スピーカフレーム）５と、ボイスコイルボビン６に巻回されて配置されたボイスコイル７と、振動板８と、エッジ９と、ダンパ１０と、センターキャップ部１１と、リード線１２とを有する。【００１８】
内磁型磁気回路４は本発明に係る内磁型磁気回路の一実施形態に相当する。振動板８は本発明に係る振動板の一実施形態に相当する。ヨーク１は本発明に係るヨークの一実施形態に相当する。フレーム５は本発明に係るフレームの一実施形態に相当する。【００１９】
本実施形態に係る磁気回路４は、ヨーク１、２つの磁石３（３１），磁石３（３２）、２つのプレート２（２１），プレート２（２２）を有する。プレート２（２１）はセンタープレートともいう。
ヨーク１は、磁石３（３１）の底面に接合される底部１ａと、この底部１ａから放射状に径方向外方に広がるとともに、音響放射方向（正面）に向かって屈曲し、屈曲部１ｃからプレート２（２１）の側方にまで延出した形状の側部１ｂとを有する。また、ヨーク１の底部１ａと側部１ｂは一体形成されている。本実施形態に係るヨーク１は、側部１ｂの音響放射側の端部の外周側角部に傾斜面部１ｄが形成されている。またヨーク１の中央部には孔部１ｈが形成されている。ヨーク１の形成材料としては、例えば無機材料，金属，鉄等の磁性体等を採用することができる。【００２０】
また、磁気回路４は、図２に示すように、磁石３（３１）と磁石３（３２）の間にはプレート２（２１）が配置され、磁石３（３２）上にプレート２（２２）が配置されている。磁石３（３１）と磁石３（３２）は、同極が対向するように配置されており、このような構成の磁気回路４をいわゆる反発磁気回路という。反発磁気回路を採用することにより、磁気ギャップ４ｇにて磁束密度を比較的高くすることができる、高感度化が図れる、等の効果が得られる。
磁石３（３１），３（３２）の形成材料は、例えばネオジム系、サマリウム・コバルト系、アルニコ系、フェライト系磁石等の永久磁石等を採用することができる。プレート２（２１），２（２２）の形成材料としては、例えば鉄などの金属や磁性体等を採用することができる。【００２１】
また、本実施形態に係る磁気回路４では、ヨーク１、磁石３（３１）、プレート２（２１）、磁石３（３２）、及びプレート２（２２）が中心軸ｏを基準に同心状に形成されおり、詳細には、同軸上でかつ中心軸ｏ方向に沿って重なる位置に近接配置されている。【００２２】
また、磁石３（３１）、プレート２（２１）、磁石３（３２）、及びプレート２（２２）は、リング形状に形成されていてもよい。この構成の磁石３（３１）及び磁石３（３２）を、厚み方向（振動方向）に沿って同極が対向するように着磁して、磁石３（３１），３（３２）の内外側面で磁気間隙を形成して、磁束の流れる方向と磁気回路４内を流れる磁束が同じ方向となる、いわゆるラジアルリングマグネットを設けたラジアル型磁気回路を、磁気回路４として採用してもよい。磁気回路４としてラジアル型磁気回路を採用することにより、磁気効率を向上することができる、薄型化することができる、小型化することができる、等の効果が得られる。【００２３】
また、本実施形態に係る磁気回路４では、磁石３（３１）が、鉄等のヨーク１に囲まれた構造となっているので、磁気漏洩を低減することができる。【００２４】
また、磁気回路４は、図２に示すように、ボイスコイル７を駆動させるための磁気ギャップ４ｇを有し、この磁気ギャップ４ｇに磁石３（３１），３（３２）による磁束が集中している。磁気ギャップ４ｇは、詳細には、ヨーク１の側部１ｂの内側面と、プレート２（２１）の外側面との間に形成されており、全周に亘って略均等な間隙にて形成されている。【００２５】
上述したように本実施形態に係る磁気回路４は、同極が対向するように配置された２つの磁石３（３１），３（３２）を備えるいわゆる反発磁気回路を採用したが、この形態に限られるものではない。例えばスピーカ装置１００ａは、図３に示すように、ヨーク１のポール部１ａ上に磁石３（３１）を配置し、その磁石３（３１）上にプレート２（２１）を配置した構成の磁気回路４ａを有してもよい。図３に示した構成のスピーカ装置１００ａでは、ヨーク１、プレート２（２１）、及び磁石３（３１）からなる磁気回路４ａを備えるので、スピーカ装置を、より薄型化することができる、より小型化することができる等の効果がある。【００２６】
図１，図２に示すように、フレーム５は、背面平坦部（底部）５１の中央部に磁気回路４が配置され、その背面平坦部５１の中央部に開口部５ａが形成されている。また、フレーム５は、背面平坦部５１の外周縁から音響放射側に屈曲形成されたコーン形状部５２を有する。フレーム５のコーン形状部５２の中段には、ダンパ１０の外周縁１０ａが固定される平坦部５３が形成され、コーン形状部５２の正面側上段近傍には、エッジ９の外周縁９ａが直接又は接合部材９０を介して固定される平坦部５４が形成され、フレーム５の外周部にはフランジ５５が形成されている。またコーン形状部５２は、平坦部５３と平坦部５４間に、一つ又は複数の窓部５２ａと腕部５２ｂが形成されている。
本実施形態に係るフレーム５では、背面平坦部５１、コーン形状部５２、平坦部５３、平坦部５４、及びフランジ５５が一体形成されている。【００２７】
ボイスコイル７は、例えば電線を円筒形状のボイスコイルボビン６に巻回されて形成され、ボイスコイルボビン６に固定されて、少なくともボイスコイル７の一部が磁気回路４の磁気ギャップ４ｇ内に振動自在に配置される。【００２８】
センターキャップ部１１は、例えばボイスコイルボビン６の内径に略等しい外径に形成され、ボイスコイルボビン６に接着剤等で固着されることにより、ボイスコイルボビン６に連結される。本実施形態に係るセンターキャップ部１１は、音響放射側に向かって凸形状に形成されている。前記センターキャップ部１１はスピーカ装置を薄型化するために、凹形状に形成されても構わなく、特に限定されない。
【００２９】
振動板８の形成材料としては、例えば樹脂等の高分子系、紙系、金属系などの各種材料を採用することができる。振動板８は、内周縁８ａから外周縁８ｂに至るリング状の音響放射面を有し、その内周縁８ａは、ボイスコイルボビン６を連結するための中央孔部が形成されている。振動板８の中央孔部にボイスコイルボビン６が嵌装されて接着剤等によって固着されることにより、振動板８の内周縁８ａがボイスコイルボビン６の音響放射側端部の近傍に連結される。振動板８の外周縁８ｂはエッジ９を介してフレーム５に取り付けられている。
エッジ９は、例えばリング形状に形成されている。エッジ９としては、例えばロールエッジ、Ｖ字エッジ、コルゲーションエッジ、フラットエッジ等の各種のエッジを採用することができる。本実施形態に係るエッジ９としてはロールエッジを採用する。エッジ９は適度なコンプライアンスと剛性を兼ね備え、エッジ９の内周縁９ｂが振動板８の外周縁８ｂに接着剤等によって固着されることにより振動板８に連結されている。また、上述したようにエッジ９の外周縁９ａは、直接又は接合部材９０を介してフレーム５の平坦部５４に固着されることにより、フレーム５に連結されている。以上により、振動板８の外周縁８ｂはエッジ９を介してフレーム５に連結されている。したがって、エッジ９は、振動板８の外周縁を弾性支持している。【００３０】
また、振動板８は、図１，図２に示すように、内周縁８ａと外周縁８ｂとの間に、頂部８ｃが形成されるとともに、内周縁８ａ及び外周縁８ｂが頂部８ｃに比して音響放射側に位置する形状に形成されている。振動板８の頂部８ｃは、ダンパ１０の内周縁１０ｂに接着剤等により固定されている。【００３１】
ダンパ１０は、例えば布に樹脂を含浸して加熱成形されて形成される。ダンパ１０としては、例えば同心円状のコルゲーションを有する円形ダンパ等の各種形状のダンパを採用することができ、ダンパ１０は適度なコンプライアンスと剛性を兼ね備え、ダンパ１０の外周縁１０ａがフレーム５に連結し、内周縁１０ｂにより振動板８の頂部８ｃを支持している。また本実施形態に係るダンパ１０の内周縁１０ｂは、図２に示すように、音響放音側に向かって屈曲するとともに、振動板８の傾斜面に沿って屈曲した形状に形成され、接着剤等により頂部８ｃに固定されているので、確実にダンパ１０の内周縁１０ｂと、振動板８の頂部８ｃとが固定される。
また、スピーカ装置１００では、図１，図２に示すように、ダンパ１０、フレーム５の平坦部５３、ボイスコイル７、プレート２（２１）、振動板８の頂部８ｃが、略同一平面となるように形成されている。【００３２】
上記構成のスピーカ装置１００では、振動板８の頂部８ｃが、ダンパ１０の高さとなるように設定したので、振動板８の頂部８ｃの高さのバラツキを低減することができ、高品質に音を再生することができる。また、振動板８の頂部８ｃが、ダンパ１０の高さとなるように設定したので、組み立て作業性が向上する。【００３３】
上記構成のダンパ１０は、スピーカの非駆動時において、エッジ９と共に振動板８、センターキャップ部１１、ボイスコイルボビン６、ボイスコイル７それぞれを、スピーカの所定位置において弾性支持するとともに、磁気ギャップ４ｇ内に配置されるボイスコイル７及びボイスコイルボビン６を、ヨーク１の側部１ｂ等の磁気回路４を構成する部分に接触させない位置で弾性保持する。
またダンパ１０は、スピーカの駆動において、センターキャップ部１１、振動板８、ボイスコイルボビン６、及びボイスコイル７を振動方向（中心軸（ｏ）方向）に沿って、弾性支持する機能を有する。
また上述したように、ヨーク１は、側部１ｂの音響放射側の端部の外周側角部に傾斜面部１ｄが形成されているので、スピーカ駆動時に、振動板８が振動方向（中心軸（ｏ）方向）に沿って振動した場合であっても、ヨーク１に振動板８が接触することを防止することができる。【００３４】
また、ボイスコイル７の両端は、それぞれボイスコイルボビン６及び振動板８に沿って引き出され、例えば図１に示すように、振動板８の内周縁近傍において、一対のリード線１２それぞれと、電気的に接続される。
リード線１２は、例えば複数の細い電線をより合わせる形成された屈曲に強い錦糸線であり、振動板８に形成された孔１３を介してフレーム５に固定された入力端子部１４に接続される。【００３５】
上記構成のスピーカ装置１００では、入力端子部１４に音声信号が入力されると、音声信号に応じた電流がリード線１２を介してボイスコイルボビン６に供給される。その結果、磁気ギャップ４ｇ内のボイスコイルボビン６が電磁駆動され、ボイスコイルボビン６に連結されたセンターキャップ部１１及び振動板８が、エッジ９及びダンパ１０に支持されながらピストン振動方向に沿って駆動して、振動板８から音声信号に応じた音響エネルギーが音響放射される。【００３６】
図４（Ａ）〜図４（Ｃ）は、図１に示したスピーカ装置１００の振動板を説明するための図である。詳細には図４（Ａ）はスピーカ装置１００の振動板の断面形状の一具体例を説明する断面図である。図４（Ｂ）はスピーカ装置１００の振動板の断面形状の他の具体例を説明するための断面図である。図４（Ｃ）は図４（Ａ）に示した振動板の断面形状を詳細に説明するための図である。【００３７】
本実施形態では、スピーカ装置１００の全高を低く抑えかつ駆動状態における振動板８の分割振動を抑え、高域の音圧周波数特性を向上させるために、振動板８は以下に示す構造を有する。
詳細には、図１，図２，図４（Ａ）〜図４（Ｃ）に示すように、振動板８は内周縁８ａと外周縁８ｂとの間に折り返し部分を有して形成され、折り返し部分が頂部８ｃを形成する。
この頂部８ｃは、振動板８の折り返し部分の先端部分であり、内周縁８ａと外周縁８ｂが頂部８ｃに比して音響放射側に位置するように鋭角に折り返されて形成されている。【００３８】
振動板８は、例えば図４（Ａ）〜図４（Ｃ）に示すように、振動板８の頂部８ｃから内周縁８ａ側に形成されている内側振動板部８１、および振動板８の頂部８ｃから外周縁８ｂ側に形成されている外側振動板部８２を有する。内側振動板部８１及び外側振動板部８２は、一体形成されている。【００３９】
振動板８は、詳細には図４（Ａ）に示すように、振動板８の頂部８ｃから内周縁８ａ側に形成されている内側振動板部８１の断面形状が音響放射側に凸形状に形成され、かつ、振動板８の頂部８ｃから外周縁８ｂ側に形成されている外側振動板部８２の断面形状が音響放射側に凸形状に形成されている。【００４０】
また、図４（Ｂ）に示すように、振動板８は、内側振動板部８１の断面形状が音響放射側に凸形状に形成され、かつ、外側振動板部８２ａの断面形状が略直線状に形成されていてもよい。【００４１】
また、図４（Ｃ）に示すように、振動板８の頂部８ｃの直径φａは、振動板８の外周縁８ｂの直径φｂより小さい。また頂部８ｃの直径φａはボイスコイルボビン６の直径φｃより大きい。
また、本実施形態に係る振動板８は、図４（Ｃ）に示すように、内周縁８ａから頂部８ｃに径方向に沿った長さｒ８１が、頂部８ｃから外周縁８ｂに径方向に沿った長さｒ８２より短くなるように形成されていることが好ましい。
また、本実施形態に係る振動板８は、図４（Ｃ）に示すように、振動板８の外周縁８ｂの直径φｂは、振動板８の外周縁８ｂの高さｄ８の４倍以下であることが好ましい。この振動板８の外周縁８ｂの高さｄ８は、振動板８の頂部８ｃから振動板８の外周縁８ｂまで音響放射方向に沿った距離である。【００４２】
上記構成のスピーカ装置１００では、内周縁８ａから外周縁８ｂに亘る振動面が、頂部８ｃで折り返されて形成されているので、頂部８ｃから内周縁８ａ又は外周縁８ｂまでの高さが、振動板８の全高となる。したがって、振動板８の全高は、同じ口径（振動板の外径）、ボイスコイル径（振動板８の内周縁８ａ）を有する従来のコーン状振動板と比べて低く形成することができる。
また、更に本実施形態に係る振動板８では、振動板８の頂部８ｃの直径φａを、振動板８の外周縁８ｂの直径φｂに対して最適化したこと、内側振動板部８１を凸形状に形成するとともに外側振動板部８２の断面形状を凸形状又は略直線形状に形成すること、振動板８の外周縁８ｂの直径φｂと高さｄ８を最適化すること、等により高域再生周波数特性を向上させることができる。
上記条件のいずれか、又は２つの条件の組み合わせ、３つの条件の組み合わせにより、振動板８を形成しても、高域再生周波数特性を向上させる効果が得られる。【００４３】
つまり、本実施形態に係るスピーカ装置１００は、スピーカ装置を従来より小型化すること、薄型化すること、軽量化すること等の効果が得られるとともに、高音質に音を再生することができる。【００４４】
次に、本願発明者は、本発明の一実施形態に係るスピーカ装置１００の磁気回路４の性能を確認するために、磁気回路４の磁束密度の分布をコンピュータを用いてシミュレーションを行った。
図５（Ａ），図５（Ｂ）は磁気回路の磁束密度のシミュレーション結果を説明するための図である。詳細には図５（Ａ）はヨーク端部に傾斜面部が形成されていない磁気回路の磁束の分布を示す図である。図５（Ｂ）はヨーク端部に傾斜面部が形成された磁気回路の磁束の分布を示す図である。図６は、図５（Ａ），図５（Ｂ）に示した磁気回路４の磁気ギャップ４ｇでの磁束密度の大きさを説明するための図である。縦軸は磁束密度の大きさ（Ｔ：テスラ）を示し、横軸は磁気ギャップにおける振動方向に沿った位置（ｍｍ）を示す図である。図６において、図５（Ａ）に示した構造の磁気回路４の磁束密度の大きさを点線にて示し、図５（Ｂ）に示した構造の磁気回路４の磁束密度の大きさを実線にて示す。また、図６において、センタープレート２と磁石３（３１）との境界付近が０ｍｍ、センタープレート２の中心部付近が２ｍｍ、センタープレート２と磁石３（３２）との境界付近が４ｍｍに対応する。【００４５】
図５（Ａ）に示すように、磁石３（３１）と磁石３（３２）間に狭持されたプレート２（２１）の端部付近に、磁束が集中していることが確認できる。またヨーク１の側部１ｂにより、磁束漏れを防止していることが確認できる。このように反発磁気回路を採用したので、磁気ギャップ４ｇの磁束密度を比較的高くすることができる。【００４６】
更に図５（Ｂ）に示すように、ヨーク１の側部１ｂの端部に傾斜面部１ｄが形成された磁気回路４では、図５（Ａ）に示した磁気回路と比べて、傾斜面部１ｄ付近の磁束の流れが改善されていることが確認できる。また磁石３（３１）の端部付近で磁束が閉じることなく流れていることが確認することができた。【００４７】
また磁気回路４は、図６に示すように、センタープレート２（２１）の中心部付近（２ｍｍ付近）で、磁束密度の大きさが最大（約１．０４Ｔ）となり、中心部付近から±１ｍｍ付近で、磁束密度の大きさが略均一となっていることが確認できた。また点線で示すようにヨーク１の側部１ｂの端部に傾斜面部１ｄが形成されていない場合と比べて、実線で示すように、ヨーク１の側部１ｂの端部に傾斜面部１ｄを形成した場合に、磁束密度の大きさが大きくなることが確認できた。【００４８】
上述したように、磁気回路４として、ヨーク１の側部１ｂの端部に傾斜面部１ｄを形成することで、磁気回路４の磁気ギャップ４ｇの磁束密度の大きさを、より大きくすることができる。
また上述したように、ヨーク１の側部１ｂの音響放射側の端部の外周側角部に傾斜面部１ｄを形成することで、スピーカ駆動時に、振動板８が振動方向（中心軸（ｏ）方向）に沿って振動した場合であっても、ヨーク１に振動板８が接触することを防止することができる。【００４９】
次に、本願発明者は、本発明の一実施形態に係るスピーカ装置１００の振動板の性能を確認するために、断面形状が異なる振動板に関して、その振動板を採用したスピーカ装置の音圧周波数特性（ＳＰＬ：Sound Pressure Level）をシミュレーションした。図７〜図１５は、振動板の断面形状と、その振動板を用いたスピーカ装置の音圧周波数特性のシミュレーション結果を示す図である。以下、各図面を参照しながらスピーカの音圧周波数特性を説明する。【００５０】
［断面形状の最適化］
図７（Ａ）は内側振動板部８１の断面形状が略直線形状に形成されるとともに外側振動板部８２の断面形状が音響放射側に凹形状に形成された比較対象としての振動板を示す図であり、図７（Ｂ）は図７（Ａ）に示した振動板を採用したスピーカ装置の音圧周波数特性のシミュレーション結果を示す図である。図８（Ａ）は内側振動板部８１の断面形状が凸形状に形成されるとともに外側振動板部８２の断面形状が音響放射側に凸形状に形成された振動板を示す図であり、図８（Ｂ）は図８（Ａ）に示した振動板を採用したスピーカ装置の音圧周波数特性のシミュレーション結果を示す図である。図９（Ａ）は内側振動板部８１の断面形状が凸形状に形成されるとともに外側振動板部８２の断面形状が略直線形状に形成された振動板を示す図であり、図９（Ｂ）は図９（Ａ）に示した振動板を採用したスピーカ装置の音圧周波数特性のシミュレーション結果を示す図である。【００５１】
先ず、図７（Ａ）に示すように、内側振動板部８１の断面形状が略直線形状に形成されるとともに外側振動板部８２の断面形状が音響放射側に凹形状に形成された比較対象の振動板では、図７（Ｂ）に示すように、音圧レベルが、周波数が約３０Ｈｚでは約６０ｄＢであり、３０Ｈｚから２００Ｈｚまで音圧レベルが上昇し、２００Ｈｚにて８５ｄＢに達し、２００Ｈｚから１ｋＨｚまで略フラットな特性を有し、１ｋＨｚから急激に上昇して、約３ｋＨｚにて最大値約９７ｄＢとなった後、３ｋＨｚから５ｋＨｚまで急激に減少して、５ｋＨｚにて約６７Ｈｚとなり、５ｋＨｚから２０ｋＨｚにかけて上昇して、２０ｋＨｚにて７５ｄＢの値を示す。【００５２】
一方、図８（Ａ）に示すように、内側振動板部８１の断面形状が凸形状に形成されるとともに外側振動板部８２の断面形状が音響放射側に凸形状に形成された本発明に係る振動板８では、図８（Ｂ）に示すように、音圧レベルが、周波数が約３０Ｈｚでは、約６０ｄＢであり、３０Ｈｚから２００Ｈｚまで音圧レベルが上昇し、２００Ｈｚにて８５ｄＢに達し、２００Ｈｚから１ｋＨｚまで略フラットな特性を有し、１ｋＨｚから上昇して、約４ｋＨｚにて極大値約９１ｄＢとなった後減少し、約７ｋＨｚにて極大値約９１ｄＢとなった後減少して、約１５ｋＨｚで６５ｄＢを示し、約１５ｋＨｚから２０ｋＨｚにかけて上昇して、２０ｋＨｚにて７５ｄＢの値を示す。
上述したように、図８（Ａ）に示した本発明に係る振動板８では、図７（Ａ）に示した比較例と比べて、高域（例えば約３ｋＨｚから１０ｋＨｚ程度）の周波数特性が向上していることが確認できた。【００５３】
また、図９（Ａ）に示すように、内側振動板部８１の断面形状が凸形状に形成されるとともに外側振動板部８２の断面形状が音響放射側に略直線形状に形成された本発明に係る振動板８では、図９（Ｂ）に示すように、音圧レベルが、周波数が約３０Ｈｚでは、約６０ｄＢであり、３０Ｈｚから２００Ｈｚまで音圧レベルが上昇し、２００Ｈｚにて８５ｄＢに達し、２００Ｈｚから１ｋＨｚまで略フラットな特性を有し、１ｋＨｚから上昇して、約４．５ｋＨｚにて極大値約９５ｄＢとなった後減少し、約１１ｋＨｚで６０ｄＢ以下を示し、約１１ｋＨｚから２０ｋＨｚにかけて上昇して、２０ｋＨｚにて７５ｄＢの値を示す。
上述したように、図９（Ａ）に示した本発明に係る振動板８では、図７に示した比較例と比べて、高域（例えば約３ｋＨｚから１０ｋＨｚ程度）の周波数特性が向上していることが確認できた。【００５４】
［内側振動板部８１の長さＡ（ｒ８１）と、外側振動板部８２の長さＢ（ｒ８２）の最適化］
図１０（Ａ）は内側振動板部８１の断面形状が略直線状に形成されるとともに外側振動板部８２の断面形状が略直線形状に形成され、内側振動板部８１の長さＡ（ｒ８１）が、外側振動板部８２の長さＢ（ｒ８２）よりも長い振動板を示す図であり、図１０（Ｂ）は図１０（Ａ）に示した振動板を採用したスピーカ装置の音圧周波数特性のシミュレーション結果を示す図である。図１１（Ａ）は内側振動板部８１の断面形状が略直線状に形成されるとともに外側振動板部８２の断面形状が略直線形状に形成され、内側振動板部８１の長さＡ（ｒ８１）が、外側振動板部８２の長さＢ（ｒ８２）と同じ長さの振動板を示す図であり、図１１（Ｂ）は図１１（Ａ）に示した振動板を採用したスピーカ装置の音圧周波数特性のシミュレーション結果を示す図である。図１２（Ａ）は内側振動板部８１の断面形状が略直線状に形成されるとともに外側振動板部８２の断面形状が略直線形状に形成され、内側振動板部８１の長さＡ（ｒ８１）が、外側振動板部８２の長さＢ（ｒ８２）より短い振動板を示す図であり、図１２（Ｂ）は図１２（Ａ）に示した振動板を採用したスピーカ装置の音圧周波数特性のシミュレーション結果を示す図である。【００５５】
次に、図１０（Ａ），図１０（Ｂ）〜図１２（Ａ），図１２（Ｂ）に示すように、内側振動板部８１の長さＡ（ｒ８１）と外側振動板部８２の長さＢ（ｒ８２）の最適化を行った。
図１２（Ｂ）に示すように、内側振動板部８１の長さＡ（ｒ８１）が、外側振動板部８２の長さＢ（ｒ８２）より短い振動板を採用した場合に、その他の場合と比べて、高域特性が向上していることが確認できた。つまり、本発明に係る振動板８では、内側振動板部８１の長さＡ（ｒ８１）が、外側振動板部８２の長さＢ（ｒ８２）より短い振動板を採用することが、好ましい。【００５６】
［振動板の外径と振動場の高さの最適化］
図１３（Ａ）は内側振動板部８１の断面形状が略直線状に形成されるとともに外側振動板部８２の断面形状が略直線形状に形成され、振動板の外周縁の直径（外径）が振動板の外周縁の高さｄ８の４．８倍に形成された振動板を示す図であり、図１３（Ｂ）は図１３（Ａ）に示した振動板を採用したスピーカ装置の音圧周波数特性を示す図である。図１４（Ａ）は内側振動板部８１の断面形状が凸形状に形成されるとともに外側振動板部８２の断面形状が略直線形状に形成され、振動板の外周縁の直径（外径）が振動板の外周縁の高さｄ８の３．８倍に形成された振動板を示す図であり、図１４（Ｂ）は図１４（Ａ）に示した振動板を採用したスピーカ装置の音圧周波数特性を示す図である。図１５（Ａ）は内側振動板部８１の断面形状が凸形状に形成されるとともに外側振動板部８２の断面形状が略直線形状に形成され、振動板の外周縁の直径（外径）が振動板の外周縁の高さｄ８の３．２倍に形成された振動板を示す図であり、図１５（Ｂ）は図１５（Ａ）に示した振動板を採用したスピーカ装置の音圧周波数特性を示す図である。【００５７】
次に、図１３（Ａ），図１３（Ｂ）〜図１５（Ａ），図１５（Ｂ）に示すように、振動板の外径と振動場の高さの最適化を行った。
図１３（Ａ）に示すように、内側振動板部８１の断面形状が凸形状に形成されるとともに外側振動板部８２の断面形状が略直線形状に形成され、振動板の外周縁の直径（外径）が振動板の外周縁の高さｄ８の４．８倍に形成された振動板では、図１３（Ｂ）に示すように、他の場合と比べて高域周波数特性が劣化している。
一方、図１４（Ａ），図１５（Ａ）に示すように、振動板８の外周縁の直径（外径）が振動板の外周縁の高さｄ８の３．８倍に形成された振動板や、３．２倍に形成された振動板では、他の場合と比べて高域周波数特性が向上している。
このため、例えば振動板８の外周縁の直径（外径）が振動板の外周縁の高さｄ８の約４倍以下、詳細には約３．８倍以下や３．２倍以下となる形状の振動板８を採用することが望ましい。【００５８】
以上説明したように、本発明に係るスピーカ装置１００は、内周縁８ａがボイスコイルボビン６に連結され、外周縁８ｂがエッジ９を介してフレーム５に連結される振動板を有し、この振動板８は、内周縁８ａと外周縁８ｂの間に頂部８ｃが形成されるものであり、内周縁８ａ及び外周縁８ｂは頂部８ｃに比して音響放射側に位置し、振動板８の頂部８ｃから内周縁８ａ側の断面形状が音響放射側に凸形状に形成され、かつ、振動板８の頂部８ｃから外周縁８ｂ側の断面形状が略直線状又は音響放射側に凸形状に形成されているので、振動板８を薄型化した場合であっても、高品質に音を再生することができる。特に、音圧の高域特性を向上することができる。【００５９】
また、振動板８は、内周縁８ａと外周縁８ｂの間に頂部８ｃが形成されるものであり、内周縁８ａ及び外周縁８ｂは頂部８ｃに比して音響放射側に位置し、内周縁８ａから頂部８ｃに径方向に沿った長さは、頂部８ｃから外周縁８ｂに径方向に沿った長さより短く形成されているので、振動板８を薄型化した場合であっても、高品質に音を再生することができる。特に、音圧の高域特性を向上することができる。【００６０】
また、振動板８は、内周縁８ａと外周縁８ｂの間に頂部８ｃが形成されるものであり、内周縁８ａ及び外周縁８ｂが頂部８ｃに比して音響放射側に位置し、振動板８の外周縁８ｂの直径は、振動板８の外周縁８ｂの高さの４倍以下に形成されているので、振動板８を薄型化した場合であっても、高品質に音を再生することができる。特に、音圧の高域特性を向上することができる。【００６１】
また、１．振動板８の頂部８ｃより内周縁側の断面形状を音響放射側に向かって凸形状に形成するとともに外周縁側の断面形状を略直線形状又は凸形状にすること、
２．振動板８の内周縁８ａから頂部８ｃに径方向に沿った長さが頂部８ｃから外周縁８ｂに径方向に沿った長さより短い形状に形成すること、
３．振動板８の外周縁８ｂの直径は、振動板８の外周縁８ｂの高さの４倍以下に形成すること、
のいずれかの条件の組み合わせ、又は全ての条件の組み合わせにより振動板を作製することにより、より高音域の周波数特性が向上して高品質に音を再生することができる。【００６２】
また、本発明に係るスピーカ装置１００は、内周縁８ａがボイスコイルボビン６に連結され、外周縁８ｂがエッジ９を介してフレーム５に連結され、内周縁８ａと外周縁８ｂとの間に頂部８ｃが形成されるとともに内周縁８ａ及び外周縁８ｂが頂部８ｃに比して音響放射側に位置する形状に形成された振動板８と、振動板８の内周縁８ａに連結されたボイスコイルボビン６に配置されたボイスコイル７を駆動する内磁型磁気回路４とを有するので、例えば外磁型磁気回路と比べて、本発明に係るスピーカ装置１００では中心部に磁石３が形成されているので、スピーカ装置を従来より小型化すること、薄型化すること、軽量化することができる。
また、反発磁気回路を採用することで磁気効率が向上するため、高音質に音を再生することができる。【００６３】
また、内磁型磁気回路４は、磁石３（３１）と、磁石３（３１）上に配置されたプレート２（２１）と、磁石３（３１）の底面に接合される底部１ａから放射状に径方向外方に広がるとともに、音響放射方向に向かって屈曲しプレート２（２１）の側方にまで延出した形状のヨーク１とを有するので、磁石３（３１）が鉄材等からなるヨーク１やフレーム５により囲まれた構造となるので、磁気漏洩を防止することができる。
また、磁気漏洩防止のためのヨーク１やフレーム５の厚みを低減することができる。つまり軽量化することができる。【００６４】
また、ダンパ１０は、ダンパ１０の外周縁１０ａがフレーム５に連結し、当該ダンパの内周縁１０ｂにより振動板８の頂部８ｃを支持するので、ダンパ１０は、振動板８の頂部８ｃを振動自在に支持することができる。また、振動板８の頂部８ｃが、ダンパ１０の高さとなるように設定したので、振動板８の頂部８ｃの高さのバラツキを低減することができ、高品質に音を再生することができる。また、振動板８の頂部８ｃが、ダンパ１０の高さとなるように設定したので、組み立て作業性が向上する。【００６５】
また内磁型磁気回路４として反発磁気回路を採用したので、スピーカ装置１００を小型化及び薄型化した場合であっても、磁気ギャップ４ｇの磁束密度を向上することができる、振動板８に対する駆動力を向上することができる、高品質に音を再生することができる等の効果が得られる。【００６６】
また、内磁型磁気回路４の周囲に配置されるヨーク１は、当該ヨーク１の側部１ｂの音響放射側の端部の外周側角部に傾斜面部１ｄを形成したので、更に磁気ギャップ４ｇの磁束密度を向上することができ、振動板８に対する駆動力を向上することができる。【００６７】
またスピーカ装置１００は、上述したように、内磁型磁気回路４は、磁石３と、プレート２と、ヨーク１とを有し、ボイスコイル７が、プレート２（２１）の外側面とヨーク１の内側面間の磁気ギャップ４ｇに、ボイスコイルボビン６及び振動板８により振動自在に支持され、ボイスコイル７、プレート２（２１）、振動板８の頂部８ｃ、及びダンパ１０が、略同一平面となるように形成され、ヨーク１の側部１ｂの音響放音側端部が、振動板８の頂部８ｃより音響放射側に位置し、ヨーク１の端部に傾斜面部１ｄを備えるので、スピーカ装置１００を小型化及び薄型化することができる。【００６８】
なお、本発明は上述した実施形態に限られるものではない。上述した実施形態や具体例を組み合わせてもよい。
また、上述した実施形態では、図２に示すように、磁気回路４として反発磁気回路を採用したが、この形態に限られるものではない。例えば図３に示すような構造の磁気回路を採用することで、よりスピーカ装置の薄型化や小型化を実現することができる。
【図１】
2007135746.tif 000003
【図２】
2007135746.tif 000004
【図３】
2007135746.tif 000005
【図４】
2007135746.tif 000006
【図５】
2007135746.tif 000007
【図６】
2007135746.tif 000008
【図７】
2007135746.tif 000009
【図８】
2007135746.tif 000010
【図９】
2007135746.tif 000011
【図１０】
2007135746.tif 000012
【図１１】
2007135746.tif 000013
【図１２】
2007135746.tif 000014
【図１３】
2007135746.tif 000015
【図１４】
2007135746.tif 000016
【図１５】
2007135746.tif 000017
【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
フレームと、内周縁がボイスコイルボビンに連結され外周縁がエッジを介して前記フレームに連結される振動板と、外周縁が前記フレームに接続されるダンパとを有するスピーカ装置であって、
前記振動板は前記内周縁と前記外周縁の間に前記振動板が鋭角に折り曲げられて１つの頂部が形成されるものであり、前記内周縁及び外周縁は前記頂部に比して音響放射側に位置し、
前記振動板の前記頂部から内周縁側の断面形状が前記音響放射側に凸形状に形成され、かつ、前記振動板の前記頂部から外周縁側の断面形状が略直線状又は前記音響放射側に凸形状に形成され、前記頂部が前記ダンパの内周縁付近に接続されていることを特徴とするスピーカ装置。
【請求項２】
前記振動板は、前記内周縁と前記外周縁の間に頂部が形成されるものであり、前記内周縁及び外周縁は前記頂部に比して音響放射側に位置し、
前記内周縁から前記頂部に径方向に沿った長さは、前記頂部から前記外周縁に径方向に沿った長さより短いことを特徴とする請求項１に記載のスピーカ装置。
【請求項３】
前記振動板は、前記内周縁と前記外周縁の間に頂部が形成されるものであり、前記内周縁及び前記外周縁が前記頂部に比して音響放射側に位置し、
前記振動板の前記外周縁の直径は、前記振動板の前記外周縁の高さの４倍以下であることを特徴とする請求項１又は請求項２に記載のスピーカ装置。
【請求項４】
フレームと、内周縁がボイスコイルボビンに連結され外周縁がエッジを介して前記フレームに連結される振動板と、外周縁が前記フレームに接続されるダンパとを有するスピーカ装置であって、
前記振動板は、前記内周縁と前記外周縁の間に前記振動板が鋭角に折り曲げられて１つの頂部が形成されるものであり、前記内周縁及び外周縁は前記頂部に比して音響放射側に位置し、
前記頂部が前記ダンパの内周縁付近に接続され、
前記内周縁から前記頂部に径方向に沿った長さは、前記頂部から前記外周縁に径方向に沿った長さより短いことを特徴とするスピーカ装置。
【請求項５】
フレームと、内周縁がボイスコイルボビンに連結され外周縁がエッジを介して前記フレームに連結される振動板と、外周縁が前記フレームに接続されるダンパとを有するスピーカ装置であって、
前記振動板は、前記内周縁と前記外周縁の間に前記振動板が鋭角に折り曲げられて１つの頂部が形成されるものであり、前記内周縁及び前記外周縁が前記頂部に比して音響放射側に位置し、
前記頂部が前記ダンパの内周縁付近に接続され、
前記振動板の前記外周縁の直径は、前記振動板の前記外周縁の高さの４倍以下であることを特徴とするスピーカ装置。
【手続補正２】
【補正対象書類名】明細書
【補正対象項目名】０００２
【補正方法】変更
【補正の内容】
【０００２】
ピーカ装置の小型化や薄型化が望まれているが、上述したスピーカ装置では、上記形状の振動板を外磁型磁気回路により駆動しているために、ボイスコイルの径方向外側に、外磁型磁気回路のリング状磁石やリング状プレートが形成されているので、スピーカ装置を小型化することや薄型化することが困難であった。
また外磁型磁気回路のリング状磁石は、比較的重量が重い。またリング状磁石を単純に小型化すると磁気ギャップ間の磁束が低減してしまい、振動板の駆動力が低下して、再生音の音質が低下する虞がある。
［０００７］
本発明は、このような問題に対処することを課題の一例とするものである。すなわち、スピーカ装置を小型化すること、薄型化すること、軽量化すること、内周縁と外周縁との間に頂部を有する振動板を用いた場合であっても、音圧の高域特性を向上すること、高品質に音を再生すること、等が本発明の目的である。
課題を解決するための手段
［０００８］
このような目的を達成するために、本発明は、以下の各独立請求項に係る構成を少なくとも具備するものである。
請求項１に記載の発明は、フレームと、内周縁がボイスコイルボビンに連結され外周縁がエッジを介して前記フレームに連結される振動板と、外周縁が前記フレームに接続されるダンパとを有するスピーカ装置であって、前記振動板は前記内周縁と前記外周縁の間に前記振動板が鋭角に折り曲げられて１つの頂部が形成されるものであり、前記内周縁及び外周縁は前記頂部に比して音響放射側に位置し、前記振動板の前記頂部から内周縁側の断面形状が前記音響放射側に凸形状に形成され、かつ、前記振動板の前記頂部から外周縁側の断面形状が略直線状又は前記音響放射側に凸形状に形成され、前記頂部が前記ダンパの内周縁付近に接続されていることを特徴とする。
［０００９］
請求項４に記載の発明は、フレームと、内周縁がボイスコイルボビンに連結され外周縁がエッジを介して前記フレームに連結される振動板と、外周縁が前記フレームに接続されるダンパとを有するスピーカ装置であって、前記振動板は、前記内周縁と前記外周縁の間に前記振動板が鋭角に折り曲げられて１つの頂部が形成されるものであり、前記内周縁及び外周縁は前記頂部に比して音響放射側に位置し、前記頂部が前記ダンパの内周縁付近に接続され、前記内周縁から前記頂部に径方向に沿った長さは、前記頂部から前記外周縁に径方向に沿った長さより短いことを特徴とする。
［００１０］
請求項５に記載の発明は、フレームと、内周縁がボイスコイルボビンに連結され外周縁がエッジ
【手続補正３】
【補正対象書類名】明細書
【補正対象項目名】０００３
【補正方法】変更
【補正の内容】
【０００３】
を介して前記フレームに連結される振動板と、外周縁が前記フレームに接続されるダンパとを有するスピーカ装置であって、前記振動板は、前記内周縁と前記外周縁の間に前記振動板が鋭角に折り曲げられて１つの頂部が形成されるものであり、前記内周縁及び前記外周縁が前記頂部に比して音響放射側に位置し、前記頂部が前記ダンパの内周縁付近に接続され、前記振動板の前記外周縁の直径は、前記振動板の前記外周縁の高さの４倍以下であることを特徴とする。
図面の簡単な説明
［００１１］
［図１］本発明の一実施形態に係るスピーカ装置１００を説明するための図であり、スピーカ装置１００の表側（音響放射側）からみた正面図である。
［図２］図１に示したスピーカ装置１００のＡ−Ａ線に沿った断面図である。
［図３］本発明の他の実施形態に係るスピーカ装置１００ａを説明するための断面図である。
［図４］（Ａ）〜（Ｃ）は、図１に示したスピーカ装置１００の振動板を説明するための図である。（Ａ）はスピーカ装置１００の振動板の断面形状の一具体例を説明する断面図であり、（Ｂ）はスピーカ装置１００の振動板の断面形状の他の具体例を説明するための断面図であり、（Ｃ）は（Ａ）に示した振動板の断面形状を詳細に説明するための図である。
［図５］（Ａ），（Ｂ）は磁気回路の磁束密度のシミュレーション結果を説明するための図である。
［図６］図５（Ａ），図５（Ｂ）に示した磁気回路４の磁気ギャップ４ｇでの磁束密度の分布を説明するための図である。
［図７］（Ａ）は内側振動板部８１の断面形状が略直線形状に形成されるとともに外側振動板部８２の断面形状が音響放射側に凹形状に形成された比較対象としての振動板を示す図であり、（Ｂ）は（Ａ）に示した振動板を採用したスピーカ装置の音圧周波数特性のシミュレーション結果を示す図である。
［図８］（Ａ）は内側振動板部８１の断面形状が凸形状に形成されるとともに外側振動板部８２の断面形状が音響放射側に凸形状に形成された振動板を示す図であり、（Ｂ）は（Ａ）に示した振動板を採用したスピーカ装置の音圧周波数特性のシミュレーション結果を示す図である。
［図９］（Ａ）は内側振動板部８１の断面形状が凸形状に形成されるとともに外側振動板
【手続補正４】
【補正対象書類名】明細書
【補正対象項目名】０００５
【補正方法】変更
【補正の内容】
【０００５】
［図１５］（Ａ）は内側振動板部８１の断面形状が略直線状に形成されるとともに外側振動板部８２の断面形状が略直線形状に形成され、振動板の外周縁の直径（外径）が振動板の外周縁の高さｄ８の３．２倍に形成された振動板を示す図であり、（Ｂ）は（Ａ）に示した振動板を採用したスピーカ装置の音圧周波数特性のシミュレーション結果を示す図である。
発明を実施するための最良の形態
［００１２］
本発明の一実施形態に係るスピーカ装置は、フレームと、内周縁がボイスコイルボビンに連結され外周縁がエッジを介してフレームに連結される振動板と、外周縁がフレームに接続されるダンパとを有するスピーカ装置であって、振動板は内周縁と外周縁の間に前記振動板が鋭角に折り曲げられて１つの頂部が形成されるものであり、内周縁及び外周縁は頂部に比して音響放射側に位置し、振動板の頂部から内周縁側の断面形状が音響放射側に凸形状に形成され、かつ、振動板の頂部から外周縁側の断面形状が略直線状又は音響放射側に凸形状に形成され、頂部がダンパの内周縁付近に接続されていることを特徴とする。
上記構成のスピーカ装置では、振動板が、内周縁と外周縁の間に前記振動板が鋭角に折り曲げられて１つの頂部が形成されるものであり、内周縁及び外周縁は頂部に比して音響放射側に位置し、振動板の頂部から内周縁側の断面形状が音響放射側に凸形状に形成され、かつ、振動板の頂部から外周縁側の断面形状が略直線状又は音響放射側に凸形状に形成されているので、振動板を薄型化した場合であっても、高品質に音を再生することができる。特に、音圧の高域特性を向上することができる。
［００１３］
また、本発明の一実施形態に係るスピーカ装置は、フレームと、内周縁がボイスコイルボビンに連結され外周縁がエッジを介してフレームに連結される振動板と、外周縁がフレームに接続されるダンパとを有するスピーカ装置であって、振動板は、内周縁と外周縁の間に前記振動板が鋭角に折り曲げられて１つの頂部が形成されるものであり、内周縁及び外周縁は頂部に比して音響放射側に位置し、頂部がダンパの内周縁付近に接続され、内周縁から頂部に径方向に沿った長さは、頂部から外周縁に径方向に沿った長さより短いことを特徴とする。
上記構成のスピーカ装置では、振動板が、内周縁と外周縁の間に前記振動板が鋭角に折り曲げられて１つの頂部が形成されるものであり、内周縁及び外周縁は頂部に比して音響放射側に位置し、内周縁から頂部に径方向に沿った長さは、頂部から外周縁に径方向に沿った長さより短いので、振動板を薄型化した場合であっても、高品質に音を再生することができる。特に、音圧の高域特性を向上することができる。
【手続補正５】
【補正対象書類名】明細書
【補正対象項目名】０００６
【補正方法】変更
【補正の内容】
【０００６】
［００１４］
また、本発明の一実施形態に係るスピーカ装置は、フレームと、内周縁がボイスコイルボビンに連結され外周縁がエッジを介してフレームに連結される振動板と、外周縁がフレームに接続されるダンパとを有するスピーカ装置であって、振動板は、内周縁と外周縁の間に前記振動板が鋭角に折り曲げられて１つの頂部が形成されるものであり、内周縁及び外周縁が頂部に比して音響放射側に位置し、頂部がダンパの内周縁付近に接続され、振動板の外周縁の直径は、振動板の外周縁の高さの４倍以下であることを特徴とする。
上記構成のスピーカ装置では、振動板が、内周縁と外周縁の間に前記振動板が鋭角に折り曲げられて１つの頂部が形成されるものであり、内周縁及び外周縁が頂部に比して音響放射側に位置し、振動板の外周縁の直径は、振動板の外周縁の高さの４倍以下であるので、振動板を薄型化した場合であっても、高品質に音を再生することができる。特に、音圧の高域特性を向上することができる。
［００１５］
以下、本発明の一実施形態に係るスピーカ装置を図面を参照しながら説明する。
［００１６］
図１は本発明の一実施形態に係るスピーカ装置１００を説明するための図である。詳細には図１はスピーカ装置１００の表側（音響放射側）からみた正面図である。図２は図１に示したスピーカ装置１００のＡ−Ａ線に沿った断面図である。図３は、本発明の他の実施形態に係るスピーカ装置１００ａを説明するための断面図である。
［００１７］
スピーカ装置１００は、ヨーク１、プレート２、磁石３を備える内磁型磁気回路４と、フレーム（スピーカフレーム）５と、ボイスコイルボビン６に巻回されて配置されたボイスコイル７と、振動板８と、エッジ９と、ダンパ１０と、センターキャップ部１１と、リード線１２とを有する。
［００１８］
内磁型磁気回路４は本発明に係る内磁型磁気回路の一実施形態に相当する。振動板８は本発明に係る振動板の一実施形態に相当する。ヨーク１は本発明に係るヨークの一実施形態に相当する。フレーム５は本発明に係るフレームの一実施形態に相当する。
［００１９］
本実施形態に係る磁気回路４は、ヨーク１、２つの磁石３（３１），磁石３（３２）、２つのプレート２（２１），プレート２（２２）を有する。プレート２（２１）はセンタープレートともいう。
ヨーク１は、磁石３（３１）の底面に接合される底部１ａと、この底部１ａから放射状に径方向外方に広がるとともに、音響放射方向（正面）に向かって屈曲し、屈曲部１ｃから
【手続補正書】
【提出日】平成20年12月16日(2008.12.16)
【手続補正１】
【補正対象書類名】特許請求の範囲
【補正対象項目名】全文
【補正方法】変更
【補正の内容】
【特許請求の範囲】
【請求項１】
フレームと、内周縁がボイスコイルボビンに連結され外周縁がエッジを介して前記フレームに連結される振動板と、外周縁が前記フレームに接続されるダンパとを有するスピーカ装置であって、
前記振動板は前記内周縁と前記外周縁の間に前記振動板が鋭角に折り曲げられて１つの頂部が形成されるものであり、前記内周縁及び外周縁は前記頂部に比して音響放射側に位置し、
前記振動板の前記頂部から内周縁側の断面形状が前記音響放射側に凸形状に形成され、かつ、前記振動板の前記頂部から外周縁側の断面形状が略直線状又は前記音響放射側に凸形状に形成され、前記頂部が前記ダンパの内周縁付近に接続されていることを特徴とするスピーカ装置。
【請求項２】
前記振動板は、前記内周縁と前記外周縁の間に頂部が形成されるものであり、前記内周縁及び外周縁は前記頂部に比して音響放射側に位置し、
前記内周縁から前記頂部に径方向に沿った長さは、前記頂部から前記外周縁に径方向に沿った長さより短いことを特徴とする請求項１に記載のスピーカ装置。
【請求項３】
前記振動板は、前記内周縁と前記外周縁の間に頂部が形成されるものであり、前記内周縁及び前記外周縁が前記頂部に比して音響放射側に位置し、
前記振動板の前記外周縁の直径は、前記振動板の前記外周縁の高さの４倍以下であることを特徴とする請求項１又は請求項２に記載のスピーカ装置。
【請求項４】
フレームと、内周縁がボイスコイルボビンに連結され外周縁がエッジを介して前記フレームに連結される振動板と、外周縁が前記フレームに接続されるダンパとを有するスピーカ装置であって、
前記振動板は、前記内周縁と前記外周縁の間に前記振動板が鋭角に折り曲げられて１つの頂部が形成されるものであり、前記内周縁及び外周縁は前記頂部に比して音響放射側に位置し、
前記頂部が前記ダンパの内周縁付近に接続され、
前記内周縁から前記頂部に径方向に沿った長さは、前記頂部から前記外周縁に径方向に沿った長さより短いことを特徴とするスピーカ装置。
【請求項５】
フレームと、内周縁がボイスコイルボビンに連結され外周縁がエッジを介して前記フレームに連結される振動板と、外周縁が前記フレームに接続されるダンパとを有するスピーカ装置であって、
前記振動板は、前記内周縁と前記外周縁の間に前記振動板が鋭角に折り曲げられて１つの頂部が形成されるものであり、前記内周縁及び前記外周縁が前記頂部に比して音響放射側に位置し、
前記頂部が前記ダンパの内周縁付近に接続され、
前記振動板の前記外周縁の直径は、前記振動板の前記外周縁の高さの４倍以下であることを特徴とするスピーカ装置。
【請求項６】
前記振動板の外周縁の高さは、前記振動板の頂部から前記振動板の外周縁までの音響放射方向に沿った距離であることを特徴とする請求項５に記載のスピーカ装置。
【請求項７】
前記ボイスコイルボビンに配置されたボイスコイルを駆動する内磁型磁気回路を有することを特徴とする請求項１、請求項４、および請求項５の何れかに記載のスピーカ装置。
【手続補正２】
【補正対象書類名】明細書
【補正対象項目名】全文
【補正方法】変更
【補正の内容】
【発明の詳細な説明】
【技術分野】
【０００１】
本発明は、スピーカ装置に関するものである。
【背景技術】
【０００２】
オーディオシステム等の音響機器に装備されるスピーカ装置は、アンプからの音声信号（電気エネルギ）を音（音響エネルギ）に変換するいわゆる電気−音響変換器である。スピーカ装置を動作原理により大別すると、動電型、静電型、圧電型、放電型、電磁型等に分けられるが、現在は再生周波数帯域、変換効率等の緒条件を兼ね備えた動電型（ダイナミック型）が主流を占めている。
【０００３】
従来の動電型スピーカ装置の一例として、いわゆるコーン型スピーカが知られている。スピーカ装置は、例えばオーディオシステムの一部として単体で用いられるほか自動車のドア内や平面型の電子表示装置の筐体内、その他各種形態を有する筐体内の狭い空間内等に取り付けて装備されることが多い。その場合には、スピーカ装置は、限られた寸法の筐体内に取り付けやすいように、その高さをできるだけ低く抑えて薄型に形成する必要があるが、コーン型スピーカでは薄型化が困難である。
【０００４】
例えば特許文献１により開示されたスピーカ装置では、内周縁と外周縁との間に頂部を有する振動板を備えるスピーカ装置が開示されている。つまりこのスピーカ装置では、振動板が頂部で折り返された断面形状を備えるので、一般的なコーン状振動板を備えるスピーカ装置と比べて薄型化することができる。
【０００５】
【特許文献１】特許第３６４３８５５号公報
【発明の開示】
【発明が解決しようとする課題】
【０００６】
しかし、上述した特許文献１に記載されたスピーカ装置では、振動板が頂部にて単純に折り返した形状に形成した結果、音圧の周波数特性が劣化する、特に高域特性が劣化する虞があり、高域特性の改善が望まれている。
また、スピーカ装置が装着される筐体の小型化や省スペース化、等により更なるスピーカ装置の小型化や薄型化が望まれているが、上述したスピーカ装置では、上記形状の振動板を外磁型磁気回路により駆動しているために、ボイスコイルの径方向外側に、外磁型磁気回路のリング状磁石やリング状プレートが形成されているので、スピーカ装置を小型化することや薄型化することが困難であった。
また外磁型磁気回路のリング状磁石は、比較的重量が重い。またリング状磁石を単純に小型化すると磁気ギャップ間の磁束が低減してしまい、振動板の駆動力が低下して、再生音の音質が低下する虞がある。
【０００７】
本発明は、このような問題に対処することを課題の一例とするものである。すなわち、スピーカ装置を小型化すること、薄型化すること、軽量化すること、内周縁と外周縁との間に頂部を有する振動板を用いた場合であっても、音圧の高域特性を向上すること、高品質に音を再生すること、等が本発明の目的である。
【課題を解決するための手段】
【０００８】
このような目的を達成するために、本発明は、以下の各独立請求項に係る構成を少なくとも具備するものである。
請求項１に記載の発明は、フレームと、内周縁がボイスコイルボビンに連結され外周縁がエッジを介して前記フレームに連結される振動板と、外周縁が前記フレームに接続されるダンパとを有するスピーカ装置であって、前記振動板は前記内周縁と前記外周縁の間に前記振動板が鋭角に折り曲げられて１つの頂部が形成されるものであり、前記内周縁及び外周縁は前記頂部に比して音響放射側に位置し、前記振動板の前記頂部から内周縁側の断面形状が前記音響放射側に凸形状に形成され、かつ、前記振動板の前記頂部から外周縁側の断面形状が略直線状又は前記音響放射側に凸形状に形成され、前記頂部が前記ダンパの内周縁付近に接続されていることを特徴とする。
【０００９】
請求項４に記載の発明は、フレームと、内周縁がボイスコイルボビンに連結され外周縁がエッジを介して前記フレームに連結される振動板と、外周縁が前記フレームに接続されるダンパとを有するスピーカ装置であって、前記振動板は、前記内周縁と前記外周縁の間に前記振動板が鋭角に折り曲げられて１つの頂部が形成されるものであり、前記内周縁及び外周縁は前記頂部に比して音響放射側に位置し、前記頂部が前記ダンパの内周縁付近に接続され、前記内周縁から前記頂部に径方向に沿った長さは、前記頂部から前記外周縁に径方向に沿った長さより短いことを特徴とする。
【００１０】
請求項５に記載の発明は、フレームと、内周縁がボイスコイルボビンに連結され外周縁がエッジを介して前記フレームに連結される振動板と、外周縁が前記フレームに接続されるダンパとを有するスピーカ装置であって、前記振動板は、前記内周縁と前記外周縁の間に前記振動板が鋭角に折り曲げられて１つの頂部が形成されるものであり、前記内周縁及び前記外周縁が前記頂部に比して音響放射側に位置し、前記頂部が前記ダンパの内周縁付近に接続され、前記振動板の前記外周縁の直径は、前記振動板の前記外周縁の高さの４倍以下であることを特徴とする。
【発明を実施するための最良の形態】
【００１１】
本発明の一実施形態に係るスピーカ装置は、フレームと、内周縁がボイスコイルボビンに連結され外周縁がエッジを介してフレームに連結される振動板と、外周縁がフレームに接続されるダンパとを有するスピーカ装置であって、振動板は内周縁と外周縁の間に前記振動板が鋭角に折り曲げられて１つの頂部が形成されるものであり、内周縁及び外周縁は頂部に比して音響放射側に位置し、振動板の頂部から内周縁側の断面形状が音響放射側に凸形状に形成され、かつ、振動板の頂部から外周縁側の断面形状が略直線状又は音響放射側に凸形状に形成され、頂部がダンパの内周縁付近に接続されていることを特徴とする。
上記構成のスピーカ装置では、振動板が、内周縁と外周縁の間に前記振動板が鋭角に折り曲げられて１つの頂部が形成されるものであり、内周縁及び外周縁は頂部に比して音響放射側に位置し、振動板の頂部から内周縁側の断面形状が音響放射側に凸形状に形成され、かつ、振動板の頂部から外周縁側の断面形状が略直線状又は音響放射側に凸形状に形成されているので、振動板を薄型化した場合であっても、高品質に音を再生することができる。特に、音圧の高域特性を向上することができる。
【００１２】
また、本発明の一実施形態に係るスピーカ装置は、フレームと、内周縁がボイスコイルボビンに連結され外周縁がエッジを介してフレームに連結される振動板と、外周縁がフレームに接続されるダンパとを有するスピーカ装置であって、振動板は、内周縁と外周縁の間に前記振動板が鋭角に折り曲げられて１つの頂部が形成されるものであり、内周縁及び外周縁は頂部に比して音響放射側に位置し、頂部がダンパの内周縁付近に接続され、内周縁から頂部に径方向に沿った長さは、頂部から外周縁に径方向に沿った長さより短いことを特徴とする。
上記構成のスピーカ装置では、振動板が、内周縁と外周縁の間に前記振動板が鋭角に折り曲げられて１つの頂部が形成されるものであり、内周縁及び外周縁は頂部に比して音響放射側に位置し、内周縁から頂部に径方向に沿った長さは、頂部から外周縁に径方向に沿った長さより短いので、振動板を薄型化した場合であっても、高品質に音を再生することができる。特に、音圧の高域特性を向上することができる。
【００１３】
また、本発明の一実施形態に係るスピーカ装置は、フレームと、内周縁がボイスコイルボビンに連結され外周縁がエッジを介してフレームに連結される振動板と、外周縁がフレームに接続されるダンパとを有するスピーカ装置であって、振動板は、内周縁と外周縁の間に前記振動板が鋭角に折り曲げられて１つの頂部が形成されるものであり、内周縁及び外周縁が頂部に比して音響放射側に位置し、頂部がダンパの内周縁付近に接続され、振動板の外周縁の直径は、振動板の外周縁の高さの４倍以下であることを特徴とする。
上記構成のスピーカ装置では、振動板が、内周縁と外周縁の間に前記振動板が鋭角に折り曲げられて１つの頂部が形成されるものであり、内周縁及び外周縁が頂部に比して音響放射側に位置し、振動板の外周縁の直径は、振動板の外周縁の高さの４倍以下であるので、振動板を薄型化した場合であっても、高品質に音を再生することができる。特に、音圧の高域特性を向上することができる。
【００１４】
以下、本発明の一実施形態に係るスピーカ装置を図面を参照しながら説明する。
【００１５】
図１は本発明の一実施形態に係るスピーカ装置１００を説明するための図である。詳細には図１はスピーカ装置１００の表側（音響放射側）からみた正面図である。図２は図１に示したスピーカ装置１００のＡ−Ａ線に沿った断面図である。図３は、本発明の他の実施形態に係るスピーカ装置１００ａを説明するための断面図である。
【００１６】
スピーカ装置１００は、ヨーク１、プレート２、磁石３を備える内磁型磁気回路４と、フレーム（スピーカフレーム）５と、ボイスコイルボビン６に巻回されて配置されたボイスコイル７と、振動板８と、エッジ９と、ダンパ１０と、センターキャップ部１１と、リード線１２とを有する。
【００１７】
内磁型磁気回路４は本発明に係る内磁型磁気回路の一実施形態に相当する。振動板８は本発明に係る振動板の一実施形態に相当する。ヨーク１は本発明に係るヨークの一実施形態に相当する。フレーム５は本発明に係るフレームの一実施形態に相当する。
【００１８】
本実施形態に係る磁気回路４は、ヨーク１、２つの磁石３（３１），磁石３（３２）、２つのプレート２（２１），プレート２（２２）を有する。プレート２（２１）はセンタープレートともいう。
ヨーク１は、磁石３（３１）の底面に接合される底部１ａと、この底部１ａから放射状に径方向外方に広がるとともに、音響放射方向（正面）に向かって屈曲し、屈曲部１ｃからプレート２（２１）の側方にまで延出した形状の側部１ｂとを有する。また、ヨーク１の底部１ａと側部１ｂは一体形成されている。本実施形態に係るヨーク１は、側部１ｂの音響放射側の端部の外周側角部に傾斜面部１ｄが形成されている。またヨーク１の中央部には孔部１ｈが形成されている。ヨーク１の形成材料としては、例えば無機材料，金属，鉄等の磁性体等を採用することができる。
【００１９】
また、磁気回路４は、図２に示すように、磁石３（３１）と磁石３（３２）の間にはプレート２（２１）が配置され、磁石３（３２）上にプレート２（２２）が配置されている。磁石３（３１）と磁石３（３２）は、同極が対向するように配置されており、このような構成の磁気回路４をいわゆる反発磁気回路という。反発磁気回路を採用することにより、磁気ギャップ４ｇにて磁束密度を比較的高くすることができる、高感度化が図れる、等の効果が得られる。
磁石３（３１），３（３２）の形成材料は、例えばネオジム系、サマリウム・コバルト系、アルニコ系、フェライト系磁石等の永久磁石等を採用することができる。プレート２（２１），２（２２）の形成材料としては、例えば鉄などの金属や磁性体等を採用することができる。
【００２０】
また、本実施形態に係る磁気回路４では、ヨーク１、磁石３（３１）、プレート２（２１）、磁石３（３２）、及びプレート２（２２）が中心軸ｏを基準に同心状に形成されおり、詳細には、同軸上でかつ中心軸ｏ方向に沿って重なる位置に近接配置されている。
【００２１】
また、磁石３（３１）、プレート２（２１）、磁石３（３２）、及びプレート２（２２）は、リング形状に形成されていてもよい。この構成の磁石３（３１）及び磁石３（３２）を、厚み方向（振動方向）に沿って同極が対向するように着磁して、磁石３（３１），３（３２）の内外側面で磁気間隙を形成して、磁束の流れる方向と磁気回路４内を流れる磁束が同じ方向となる、いわゆるラジアルリングマグネットを設けたラジアル型磁気回路を、磁気回路４として採用してもよい。磁気回路４としてラジアル型磁気回路を採用することにより、磁気効率を向上することができる、薄型化することができる、小型化することができる、等の効果が得られる。
【００２２】
また、本実施形態に係る磁気回路４では、磁石３（３１）が、鉄等のヨーク１に囲まれた構造となっているので、磁気漏洩を低減することができる。
【００２３】
また、磁気回路４は、図２に示すように、ボイスコイル７を駆動させるための磁気ギャップ４ｇを有し、この磁気ギャップ４ｇに磁石３（３１），３（３２）による磁束が集中している。磁気ギャップ４ｇは、詳細には、ヨーク１の側部１ｂの内側面と、プレート２（２１）の外側面との間に形成されており、全周に亘って略均等な間隙にて形成されている。
【００２４】
上述したように本実施形態に係る磁気回路４は、同極が対向するように配置された２つの磁石３（３１），３（３２）を備えるいわゆる反発磁気回路を採用したが、この形態に限られるものではない。例えばスピーカ装置１００ａは、図３に示すように、ヨーク１の底部１ａ上に磁石３（３１）を配置し、その磁石３（３１）上にプレート２（２１）を配置した構成の磁気回路４ａを有してもよい。図３に示した構成のスピーカ装置１００ａでは、ヨーク１、プレート２（２１）、及び磁石３（３１）からなる磁気回路４ａを備えるので、スピーカ装置を、より薄型化することができる、より小型化することができる等の効果がある。
【００２５】
図１，図２に示すように、フレーム５は、背面平坦部（底部）５１の中央部に磁気回路４が配置され、その背面平坦部５１の中央部に開口部５ａが形成されている。また、フレーム５は、背面平坦部５１の外周縁から音響放射側に屈曲形成されたコーン形状部５２を有する。フレーム５のコーン形状部５２の中段には、ダンパ１０の外周縁１０ａが固定される平坦部５３が形成され、コーン形状部５２の正面側上段近傍には、エッジ９の外周縁９ａが直接又は接合部材９０を介して固定される平坦部５４が形成され、フレーム５の外周部にはフランジ５５が形成されている。またコーン形状部５２は、平坦部５３と平坦部５４間に、一つ又は複数の窓部５２ａと腕部５２ｂが形成されている。
本実施形態に係るフレーム５では、背面平坦部５１、コーン形状部５２、平坦部５３、平坦部５４、及びフランジ５５が一体形成されている。
【００２６】
ボイスコイル７は、例えば電線を円筒形状のボイスコイルボビン６に巻回されて形成され、ボイスコイルボビン６に固定されて、少なくともボイスコイル７の一部が磁気回路４の磁気ギャップ４ｇ内に振動自在に配置される。
【００２７】
センターキャップ部１１は、例えばボイスコイルボビン６の内径に略等しい外径に形成され、ボイスコイルボビン６に接着剤等で固着されることにより、ボイスコイルボビン６に連結される。本実施形態に係るセンターキャップ部１１は、音響放射側に向かって凸形状に形成されている。前記センターキャップ部１１はスピーカ装置を薄型化するために、凹形状に形成されても構わなく、特に限定されない。
【００２８】
振動板８の形成材料としては、例えば樹脂等の高分子系、紙系、金属系などの各種材料を採用することができる。振動板８は、内周縁８ａから外周縁８ｂに至るリング状の音響放射面を有し、その内周縁８ａは、ボイスコイルボビン６を連結するための中央孔部が形成されている。振動板８の中央孔部にボイスコイルボビン６が嵌装されて接着剤等によって固着されることにより、振動板８の内周縁８ａがボイスコイルボビン６の音響放射側端部の近傍に連結される。振動板８の外周縁８ｂはエッジ９を介してフレーム５に取り付けられている。
エッジ９は、例えばリング形状に形成されている。エッジ９としては、例えばロールエッジ、Ｖ字エッジ、コルゲーションエッジ、フラットエッジ等の各種のエッジを採用することができる。本実施形態に係るエッジ９としてはロールエッジを採用する。エッジ９は適度なコンプライアンスと剛性を兼ね備え、エッジ９の内周縁９ｂが振動板８の外周縁８ｂに接着剤等によって固着されることにより振動板８に連結されている。また、上述したようにエッジ９の外周縁９ａは、直接又は接合部材９０を介してフレーム５の平坦部５４に固着されることにより、フレーム５に連結されている。以上により、振動板８の外周縁８ｂはエッジ９を介してフレーム５に連結されている。したがって、エッジ９は、振動板８の外周縁を弾性支持している。
【００２９】
また、振動板８は、図１，図２に示すように、内周縁８ａと外周縁８ｂとの間に、頂部８ｃが形成されるとともに、内周縁８ａ及び外周縁８ｂが頂部８ｃに比して音響放射側に位置する形状に形成されている。振動板８の頂部８ｃは、ダンパ１０の内周縁１０ｂに接着剤等により固定されている。
【００３０】
ダンパ１０は、例えば布に樹脂を含浸して加熱成形されて形成される。ダンパ１０としては、例えば同心円状のコルゲーションを有する円形ダンパ等の各種形状のダンパを採用することができ、ダンパ１０は適度なコンプライアンスと剛性を兼ね備え、ダンパ１０の外周縁１０ａがフレーム５に連結し、内周縁１０ｂにより振動板８の頂部８ｃを支持している。また本実施形態に係るダンパ１０の内周縁１０ｂは、図２に示すように、音響放音側に向かって屈曲するとともに、振動板８の傾斜面に沿って屈曲した形状に形成され、接着剤等により頂部８ｃに固定されているので、確実にダンパ１０の内周縁１０ｂと、振動板８の頂部８ｃとが固定される。
また、スピーカ装置１００では、図１，図２に示すように、ダンパ１０、フレーム５の平坦部５３、ボイスコイル７、プレート２（２１）、振動板８の頂部８ｃが、略同一平面となるように形成されている。
【００３１】
上記構成のスピーカ装置１００では、振動板８の頂部８ｃが、ダンパ１０の高さとなるように設定したので、振動板８の頂部８ｃの高さのバラツキを低減することができ、高品質に音を再生することができる。また、振動板８の頂部８ｃが、ダンパ１０の高さとなるように設定したので、組み立て作業性が向上する。
【００３２】
上記構成のダンパ１０は、スピーカの非駆動時において、エッジ９と共に振動板８、センターキャップ部１１、ボイスコイルボビン６、ボイスコイル７それぞれを、スピーカの所定位置において弾性支持するとともに、磁気ギャップ４ｇ内に配置されるボイスコイル７及びボイスコイルボビン６を、ヨーク１の側部１ｂ等の磁気回路４を構成する部分に接触させない位置で弾性保持する。
またダンパ１０は、スピーカの駆動において、センターキャップ部１１、振動板８、ボイスコイルボビン６、及びボイスコイル７を振動方向（中心軸（ｏ）方向）に沿って、弾性支持する機能を有する。
また上述したように、ヨーク１は、側部１ｂの音響放射側の端部の外周側角部に傾斜面部１ｄが形成されているので、スピーカ駆動時に、振動板８が振動方向（中心軸（ｏ）方向）に沿って振動した場合であっても、ヨーク１に振動板８が接触することを防止することができる。
【００３３】
また、ボイスコイル７の両端は、それぞれボイスコイルボビン６及び振動板８に沿って引き出され、例えば図１に示すように、振動板８の内周縁近傍において、一対のリード線１２それぞれと、電気的に接続される。
リード線１２は、例えば複数の細い電線をより合わせる形成された屈曲に強い錦糸線であり、振動板８に形成された孔１３を介してフレーム５に固定された入力端子部１４に接続される。
【００３４】
上記構成のスピーカ装置１００では、入力端子部１４に音声信号が入力されると、音声信号に応じた電流がリード線１２を介してボイスコイルボビン６に供給される。その結果、磁気ギャップ４ｇ内のボイスコイルボビン６が電磁駆動され、ボイスコイルボビン６に連結されたセンターキャップ部１１及び振動板８が、エッジ９及びダンパ１０に支持されながらピストン振動方向に沿って駆動して、振動板８から音声信号に応じた音響エネルギーが音響放射される。
【００３５】
図４（Ａ）〜図４（Ｃ）は、図１に示したスピーカ装置１００の振動板を説明するための図である。詳細には図４（Ａ）はスピーカ装置１００の振動板の断面形状の一具体例を説明する断面図である。図４（Ｂ）はスピーカ装置１００の振動板の断面形状の他の具体例を説明するための断面図である。図４（Ｃ）は図４（Ａ）に示した振動板の断面形状を詳細に説明するための図である。
【００３６】
本実施形態では、スピーカ装置１００の全高を低く抑えかつ駆動状態における振動板８の分割振動を抑え、高域の音圧周波数特性を向上させるために、振動板８は以下に示す構造を有する。
詳細には、図１，図２，図４（Ａ）〜図４（Ｃ）に示すように、振動板８は内周縁８ａと外周縁８ｂとの間に折り返し部分を有して形成され、折り返し部分が頂部８ｃを形成する。
この頂部８ｃは、振動板８の折り返し部分の先端部分であり、内周縁８ａと外周縁８ｂが頂部８ｃに比して音響放射側に位置するように鋭角に折り返されて形成されている。
【００３７】
振動板８は、例えば図４（Ａ）〜図４（Ｃ）に示すように、振動板８の頂部８ｃから内周縁８ａ側に形成されている内側振動板部８１、および振動板８の頂部８ｃから外周縁８ｂ側に形成されている外側振動板部８２を有する。内側振動板部８１及び外側振動板部８２は、一体形成されている。
【００３８】
振動板８は、詳細には図４（Ａ）に示すように、振動板８の頂部８ｃから内周縁８ａ側に形成されている内側振動板部８１の断面形状が音響放射側に凸形状に形成され、かつ、振動板８の頂部８ｃから外周縁８ｂ側に形成されている外側振動板部８２の断面形状が音響放射側に凸形状に形成されている。
【００３９】
また、図４（Ｂ）に示すように、振動板８は、内側振動板部８１の断面形状が音響放射側に凸形状に形成され、かつ、外側振動板部８２ａの断面形状が略直線状に形成されていてもよい。
【００４０】
また、図４（Ｃ）に示すように、振動板８の頂部８ｃの直径φａは、振動板８の外周縁８ｂの直径φｂより小さい。また頂部８ｃの直径φａはボイスコイルボビン６の直径φｃより大きい。
また、本実施形態に係る振動板８は、図４（Ｃ）に示すように、内周縁８ａから頂部８ｃに径方向に沿った長さｒ８１が、頂部８ｃから外周縁８ｂに径方向に沿った長さｒ８２より短くなるように形成されていることが好ましい。
また、本実施形態に係る振動板８は、図４（Ｃ）に示すように、振動板８の外周縁８ｂの直径φｂは、振動板８の外周縁８ｂの高さｄ８の４倍以下であることが好ましい。この振動板８の外周縁８ｂの高さｄ８は、振動板８の頂部８ｃから振動板８の外周縁８ｂまで音響放射方向に沿った距離である。
【００４１】
上記構成のスピーカ装置１００では、内周縁８ａから外周縁８ｂに亘る振動面が、頂部８ｃで折り返されて形成されているので、頂部８ｃから内周縁８ａ又は外周縁８ｂまでの高さが、振動板８の全高となる。したがって、振動板８の全高は、同じ口径（振動板の外径）、ボイスコイル径（振動板８の内周縁８ａ）を有する従来のコーン状振動板と比べて低く形成することができる。
また、更に本実施形態に係る振動板８では、振動板８の頂部８ｃの直径φａを、振動板８の外周縁８ｂの直径φｂに対して最適化したこと、内側振動板部８１を凸形状に形成するとともに外側振動板部８２の断面形状を凸形状又は略直線形状に形成すること、振動板８の外周縁８ｂの直径φｂと高さｄ８を最適化すること、等により高域再生周波数特性を向上させることができる。
上記条件のいずれか、又は２つの条件の組み合わせ、３つの条件の組み合わせにより、振動板８を形成しても、高域再生周波数特性を向上させる効果が得られる。
【００４２】
つまり、本実施形態に係るスピーカ装置１００は、スピーカ装置を従来より小型化すること、薄型化すること、軽量化すること等の効果が得られるとともに、高音質に音を再生することができる。
【００４３】
次に、本願発明者は、本発明の一実施形態に係るスピーカ装置１００の磁気回路４の性能を確認するために、磁気回路４の磁束密度の分布をコンピュータを用いてシミュレーションを行った。
図５（Ａ），図５（Ｂ）は磁気回路の磁束密度のシミュレーション結果を説明するための図である。詳細には図５（Ａ）はヨーク端部に傾斜面部が形成されていない磁気回路の磁束の分布を示す図である。図５（Ｂ）はヨーク端部に傾斜面部が形成された磁気回路の磁束の分布を示す図である。図６は、図５（Ａ），図５（Ｂ）に示した磁気回路４の磁気ギャップ４ｇでの磁束密度の大きさを説明するための図である。縦軸は磁束密度の大きさ（Ｔ：テスラ）を示し、横軸は磁気ギャップにおける振動方向に沿った位置（ｍｍ）を示す図である。図６において、図５（Ａ）に示した構造の磁気回路４の磁束密度の大きさを点線にて示し、図５（Ｂ）に示した構造の磁気回路４の磁束密度の大きさを実線にて示す。また、図６において、センタープレート２と磁石３（３１）との境界付近が０ｍｍ、センタープレート２の中心部付近が２ｍｍ、センタープレート２と磁石３（３２）との境界付近が４ｍｍに対応する。
【００４４】
図５（Ａ）に示すように、磁石３（３１）と磁石３（３２）間に狭持されたプレート２（２１）の端部付近に、磁束が集中していることが確認できる。またヨーク１の側部１ｂにより、磁束漏れを防止していることが確認できる。このように反発磁気回路を採用したので、磁気ギャップ４ｇの磁束密度を比較的高くすることができる。
【００４５】
更に図５（Ｂ）に示すように、ヨーク１の側部１ｂの端部に傾斜面部１ｄが形成された磁気回路４では、図５（Ａ）に示した磁気回路と比べて、傾斜面部１ｄ付近の磁束の流れが改善されていることが確認できる。また磁石３（３１）の端部付近で磁束が閉じることなく流れていることが確認することができた。
【００４６】
また磁気回路４は、図６に示すように、センタープレート２（２１）の中心部付近（２ｍｍ付近）で、磁束密度の大きさが最大（約１．０４Ｔ）となり、中心部付近から±１ｍｍ付近で、磁束密度の大きさが略均一となっていることが確認できた。また点線で示すようにヨーク１の側部１ｂの端部に傾斜面部１ｄが形成されていない場合と比べて、実線で示すように、ヨーク１の側部１ｂの端部に傾斜面部１ｄを形成した場合に、磁束密度の大きさが大きくなることが確認できた。
【００４７】
上述したように、磁気回路４として、ヨーク１の側部１ｂの端部に傾斜面部１ｄを形成することで、磁気回路４の磁気ギャップ４ｇの磁束密度の大きさを、より大きくすることができる。
また上述したように、ヨーク１の側部１ｂの音響放射側の端部の外周側角部に傾斜面部１ｄを形成することで、スピーカ駆動時に、振動板８が振動方向（中心軸（ｏ）方向）に沿って振動した場合であっても、ヨーク１に振動板８が接触することを防止することができる。
【００４８】
次に、本願発明者は、本発明の一実施形態に係るスピーカ装置１００の振動板の性能を確認するために、断面形状が異なる振動板に関して、その振動板を採用したスピーカ装置の音圧周波数特性（ＳＰＬ：Sound Pressure Level）をシミュレーションした。図７〜図１５は、振動板の断面形状と、その振動板を用いたスピーカ装置の音圧周波数特性のシミュレーション結果を示す図である。以下、各図面を参照しながらスピーカの音圧周波数特性を説明する。
【００４９】
［断面形状の最適化］
図７（Ａ）は内側振動板部８１の断面形状が略直線形状に形成されるとともに外側振動板部８２の断面形状が音響放射側に凹形状に形成された比較対象としての振動板を示す図であり、図７（Ｂ）は図７（Ａ）に示した振動板を採用したスピーカ装置の音圧周波数特性のシミュレーション結果を示す図である。図８（Ａ）は内側振動板部８１の断面形状が凸形状に形成されるとともに外側振動板部８２の断面形状が音響放射側に凸形状に形成された振動板を示す図であり、図８（Ｂ）は図８（Ａ）に示した振動板を採用したスピーカ装置の音圧周波数特性のシミュレーション結果を示す図である。図９（Ａ）は内側振動板部８１の断面形状が凸形状に形成されるとともに外側振動板部８２の断面形状が略直線形状に形成された振動板を示す図であり、図９（Ｂ）は図９（Ａ）に示した振動板を採用したスピーカ装置の音圧周波数特性のシミュレーション結果を示す図である。
【００５０】
先ず、図７（Ａ）に示すように、内側振動板部８１の断面形状が略直線形状に形成されるとともに外側振動板部８２の断面形状が音響放射側に凹形状に形成された比較対象の振動板では、図７（Ｂ）に示すように、音圧レベルが、周波数が約３０Ｈｚでは約６０ｄＢであり、３０Ｈｚから２００Ｈｚまで音圧レベルが上昇し、２００Ｈｚにて８５ｄＢに達し、２００Ｈｚから１ｋＨｚまで略フラットな特性を有し、１ｋＨｚから急激に上昇して、約３ｋＨｚにて最大値約９７ｄＢとなった後、３ｋＨｚから５ｋＨｚまで急激に減少して、５ｋＨｚにて約６７Ｈｚとなり、５ｋＨｚから２０ｋＨｚにかけて上昇して、２０ｋＨｚにて７５ｄＢの値を示す。
【００５１】
一方、図８（Ａ）に示すように、内側振動板部８１の断面形状が凸形状に形成されるとともに外側振動板部８２の断面形状が音響放射側に凸形状に形成された本発明に係る振動板８では、図８（Ｂ）に示すように、音圧レベルが、周波数が約３０Ｈｚでは、約６０ｄＢであり、３０Ｈｚから２００Ｈｚまで音圧レベルが上昇し、２００Ｈｚにて８５ｄＢに達し、２００Ｈｚから１ｋＨｚまで略フラットな特性を有し、１ｋＨｚから上昇して、約４ｋＨｚにて極大値約９１ｄＢとなった後減少し、約７ｋＨｚにて極大値約９１ｄＢとなった後減少して、約１５ｋＨｚで６５ｄＢを示し、約１５ｋＨｚから２０ｋＨｚにかけて上昇して、２０ｋＨｚにて７５ｄＢの値を示す。
上述したように、図８（Ａ）に示した本発明に係る振動板８では、図７（Ａ）に示した比較例と比べて、高域（例えば約３ｋＨｚから１０ｋＨｚ程度）の周波数特性が向上していることが確認できた。
【００５２】
また、図９（Ａ）に示すように、内側振動板部８１の断面形状が凸形状に形成されるとともに外側振動板部８２の断面形状が音響放射側に略直線形状に形成された本発明に係る振動板８では、図９（Ｂ）に示すように、音圧レベルが、周波数が約３０Ｈｚでは、約６０ｄＢであり、３０Ｈｚから２００Ｈｚまで音圧レベルが上昇し、２００Ｈｚにて８５ｄＢに達し、２００Ｈｚから１ｋＨｚまで略フラットな特性を有し、１ｋＨｚから上昇して、約４．５ｋＨｚにて極大値約９５ｄＢとなった後減少し、約１１ｋＨｚで６０ｄＢ以下を示し、約１１ｋＨｚから２０ｋＨｚにかけて上昇して、２０ｋＨｚにて７５ｄＢの値を示す。
上述したように、図９（Ａ）に示した本発明に係る振動板８では、図７に示した比較例と比べて、高域（例えば約３ｋＨｚから１０ｋＨｚ程度）の周波数特性が向上していることが確認できた。
【００５３】
［内側振動板部８１の長さＡ（ｒ８１）と、外側振動板部８２の長さＢ（ｒ８２）の最適化］
図１０（Ａ）は内側振動板部８１の断面形状が略直線状に形成されるとともに外側振動板部８２の断面形状が略直線形状に形成され、内側振動板部８１の長さＡ（ｒ８１）が、外側振動板部８２の長さＢ（ｒ８２）よりも長い振動板を示す図であり、図１０（Ｂ）は図１０（Ａ）に示した振動板を採用したスピーカ装置の音圧周波数特性のシミュレーション結果を示す図である。図１１（Ａ）は内側振動板部８１の断面形状が略直線状に形成されるとともに外側振動板部８２の断面形状が略直線形状に形成され、内側振動板部８１の長さＡ（ｒ８１）が、外側振動板部８２の長さＢ（ｒ８２）と同じ長さの振動板を示す図であり、図１１（Ｂ）は図１１（Ａ）に示した振動板を採用したスピーカ装置の音圧周波数特性のシミュレーション結果を示す図である。図１２（Ａ）は内側振動板部８１の断面形状が略直線状に形成されるとともに外側振動板部８２の断面形状が略直線形状に形成され、内側振動板部８１の長さＡ（ｒ８１）が、外側振動板部８２の長さＢ（ｒ８２）より短い振動板を示す図であり、図１２（Ｂ）は図１２（Ａ）に示した振動板を採用したスピーカ装置の音圧周波数特性のシミュレーション結果を示す図である。
【００５４】
次に、図１０（Ａ），図１０（Ｂ）〜図１２（Ａ），図１２（Ｂ）に示すように、内側振動板部８１の長さＡ（ｒ８１）と外側振動板部８２の長さＢ（ｒ８２）の最適化を行った。
図１２（Ｂ）に示すように、内側振動板部８１の長さＡ（ｒ８１）が、外側振動板部８２の長さＢ（ｒ８２）より短い振動板を採用した場合に、その他の場合と比べて、高域特性が向上していることが確認できた。つまり、本発明に係る振動板８では、内側振動板部８１の長さＡ（ｒ８１）が、外側振動板部８２の長さＢ（ｒ８２）より短い振動板を採用することが、好ましい。
【００５５】
［振動板の外径と振動場の高さの最適化］
図１３（Ａ）は内側振動板部８１の断面形状が略直線状に形成されるとともに外側振動板部８２の断面形状が略直線形状に形成され、振動板の外周縁の直径（外径）が振動板の外周縁の高さｄ８の４．８倍に形成された振動板を示す図であり、図１３（Ｂ）は図１３（Ａ）に示した振動板を採用したスピーカ装置の音圧周波数特性を示す図である。図１４（Ａ）は内側振動板部８１の断面形状が凸形状に形成されるとともに外側振動板部８２の断面形状が略直線形状に形成され、振動板の外周縁の直径（外径）が振動板の外周縁の高さｄ８の３．８倍に形成された振動板を示す図であり、図１４（Ｂ）は図１４（Ａ）に示した振動板を採用したスピーカ装置の音圧周波数特性を示す図である。図１５（Ａ）は内側振動板部８１の断面形状が凸形状に形成されるとともに外側振動板部８２の断面形状が略直線形状に形成され、振動板の外周縁の直径（外径）が振動板の外周縁の高さｄ８の３．２倍に形成された振動板を示す図であり、図１５（Ｂ）は図１５（Ａ）に示した振動板を採用したスピーカ装置の音圧周波数特性を示す図である。
【００５６】
次に、図１３（Ａ），図１３（Ｂ）〜図１５（Ａ），図１５（Ｂ）に示すように、振動板の外径と振動場の高さの最適化を行った。
図１３（Ａ）に示すように、内側振動板部８１の断面形状が凸形状に形成されるとともに外側振動板部８２の断面形状が略直線形状に形成され、振動板の外周縁の直径（外径）が振動板の外周縁の高さｄ８の４．８倍に形成された振動板では、図１３（Ｂ）に示すように、他の場合と比べて高域周波数特性が劣化している。
一方、図１４（Ａ），図１５（Ａ）に示すように、振動板８の外周縁の直径（外径）が振動板の外周縁の高さｄ８の３．８倍に形成された振動板や、３．２倍に形成された振動板では、他の場合と比べて高域周波数特性が向上している。
このため、例えば振動板８の外周縁の直径（外径）が振動板の外周縁の高さｄ８の約４倍以下、詳細には約３．８倍以下や３．２倍以下となる形状の振動板８を採用することが望ましい。
【００５７】
以上説明したように、本発明に係るスピーカ装置１００は、内周縁８ａがボイスコイルボビン６に連結され、外周縁８ｂがエッジ９を介してフレーム５に連結される振動板を有し、この振動板８は、内周縁８ａと外周縁８ｂの間に頂部８ｃが形成されるものであり、内周縁８ａ及び外周縁８ｂは頂部８ｃに比して音響放射側に位置し、振動板８の頂部８ｃから内周縁８ａ側の断面形状が音響放射側に凸形状に形成され、かつ、振動板８の頂部８ｃから外周縁８ｂ側の断面形状が略直線状又は音響放射側に凸形状に形成されているので、振動板８を薄型化した場合であっても、高品質に音を再生することができる。特に、音圧の高域特性を向上することができる。
【００５８】
また、振動板８は、内周縁８ａと外周縁８ｂの間に頂部８ｃが形成されるものであり、内周縁８ａ及び外周縁８ｂは頂部８ｃに比して音響放射側に位置し、内周縁８ａから頂部８ｃに径方向に沿った長さは、頂部８ｃから外周縁８ｂに径方向に沿った長さより短く形成されているので、振動板８を薄型化した場合であっても、高品質に音を再生することができる。特に、音圧の高域特性を向上することができる。
【００５９】
また、振動板８は、内周縁８ａと外周縁８ｂの間に頂部８ｃが形成されるものであり、内周縁８ａ及び外周縁８ｂが頂部８ｃに比して音響放射側に位置し、振動板８の外周縁８ｂの直径は、振動板８の外周縁８ｂの高さの４倍以下に形成されているので、振動板８を薄型化した場合であっても、高品質に音を再生することができる。特に、音圧の高域特性を向上することができる。
【００６０】
また、１．振動板８の頂部８ｃより内周縁側の断面形状を音響放射側に向かって凸形状に形成するとともに外周縁側の断面形状を略直線形状又は凸形状にすること、
２．振動板８の内周縁８ａから頂部８ｃに径方向に沿った長さが頂部８ｃから外周縁８ｂに径方向に沿った長さより短い形状に形成すること、
３．振動板８の外周縁８ｂの直径は、振動板８の外周縁８ｂの高さの４倍以下に形成すること、
のいずれかの条件の組み合わせ、又は全ての条件の組み合わせにより振動板を作製することにより、より高音域の周波数特性が向上して高品質に音を再生することができる。
【００６１】
また、本発明に係るスピーカ装置１００は、内周縁８ａがボイスコイルボビン６に連結され、外周縁８ｂがエッジ９を介してフレーム５に連結され、内周縁８ａと外周縁８ｂとの間に頂部８ｃが形成されるとともに内周縁８ａ及び外周縁８ｂが頂部８ｃに比して音響放射側に位置する形状に形成された振動板８と、振動板８の内周縁８ａに連結されたボイスコイルボビン６に配置されたボイスコイル７を駆動する内磁型磁気回路４とを有するので、例えば外磁型磁気回路と比べて、本発明に係るスピーカ装置１００では中心部に磁石３が形成されているので、スピーカ装置を従来より小型化すること、薄型化すること、軽量化することができる。
また、反発磁気回路を採用することで磁気効率が向上するため、高音質に音を再生することができる。
【００６２】
また、内磁型磁気回路４は、磁石３（３１）と、磁石３（３１）上に配置されたプレート２（２１）と、磁石３（３１）の底面に接合される底部１ａから放射状に径方向外方に広がるとともに、音響放射方向に向かって屈曲しプレート２（２１）の側方にまで延出した形状のヨーク１とを有するので、磁石３（３１）が鉄材等からなるヨーク１やフレーム５により囲まれた構造となるので、磁気漏洩を防止することができる。
また、磁気漏洩防止のためのヨーク１やフレーム５の厚みを低減することができる。つまり軽量化することができる。
【００６３】
また、ダンパ１０は、ダンパ１０の外周縁１０ａがフレーム５に連結し、当該ダンパの内周縁１０ｂにより振動板８の頂部８ｃを支持するので、ダンパ１０は、振動板８の頂部８ｃを振動自在に支持することができる。また、振動板８の頂部８ｃが、ダンパ１０の高さとなるように設定したので、振動板８の頂部８ｃの高さのバラツキを低減することができ、高品質に音を再生することができる。また、振動板８の頂部８ｃが、ダンパ１０の高さとなるように設定したので、組み立て作業性が向上する。
【００６４】
また内磁型磁気回路４として反発磁気回路を採用したので、スピーカ装置１００を小型化及び薄型化した場合であっても、磁気ギャップ４ｇの磁束密度を向上することができる、振動板８に対する駆動力を向上することができる、高品質に音を再生することができる等の効果が得られる。
【００６５】
また、内磁型磁気回路４の周囲に配置されるヨーク１は、当該ヨーク１の側部１ｂの音響放射側の端部の外周側角部に傾斜面部１ｄを形成したので、更に磁気ギャップ４ｇの磁束密度を向上することができ、振動板８に対する駆動力を向上することができる。
【００６６】
またスピーカ装置１００は、上述したように、内磁型磁気回路４は、磁石３と、プレート２と、ヨーク１とを有し、ボイスコイル７が、プレート２（２１）の外側面とヨーク１の内側面間の磁気ギャップ４ｇに、ボイスコイルボビン６及び振動板８により振動自在に支持され、ボイスコイル７、プレート２（２１）、振動板８の頂部８ｃ、及びダンパ１０が、略同一平面となるように形成され、ヨーク１の側部１ｂの音響放音側端部が、振動板８の頂部８ｃより音響放射側に位置し、ヨーク１の端部に傾斜面部１ｄを備えるので、スピーカ装置１００を小型化及び薄型化することができる。
【００６７】
なお、本発明は上述した実施形態に限られるものではない。上述した実施形態や具体例を組み合わせてもよい。
また、上述した実施形態では、図２に示すように、磁気回路４として反発磁気回路を採用したが、この形態に限られるものではない。例えば図３に示すような構造の磁気回路を採用することで、よりスピーカ装置の薄型化や小型化を実現することができる。
【図面の簡単な説明】
【００６８】
【図１】本発明の一実施形態に係るスピーカ装置１００を説明するための図であり、スピーカ装置１００の表側（音響放射側）からみた正面図である。
【図２】図１に示したスピーカ装置１００のＡ−Ａ線に沿った断面図である。
【図３】本発明の他の実施形態に係るスピーカ装置１００ａを説明するための断面図である。
【図４】（Ａ）〜（Ｃ）は、図１に示したスピーカ装置１００の振動板を説明するための図である。（Ａ）はスピーカ装置１００の振動板の断面形状の一具体例を説明する断面図であり、（Ｂ）はスピーカ装置１００の振動板の断面形状の他の具体例を説明するための断面図であり、（Ｃ）は（Ａ）に示した振動板の断面形状を詳細に説明するための図である。
【図５】（Ａ），（Ｂ）は磁気回路の磁束密度のシミュレーション結果を説明するための図である。
【図６】図５（Ａ），図５（Ｂ）に示した磁気回路４の磁気ギャップ４ｇでの磁束密度の分布を説明するための図である。
【図７】（Ａ）は内側振動板部８１の断面形状が略直線形状に形成されるとともに外側振動板部８２の断面形状が音響放射側に凹形状に形成された比較対象としての振動板を示す図であり、（Ｂ）は（Ａ）に示した振動板を採用したスピーカ装置の音圧周波数特性のシミュレーション結果を示す図である。
【図８】（Ａ）は内側振動板部８１の断面形状が凸形状に形成されるとともに外側振動板部８２の断面形状が音響放射側に凸形状に形成された振動板を示す図であり、（Ｂ）は（Ａ）に示した振動板を採用したスピーカ装置の音圧周波数特性のシミュレーション結果を示す図である。
【図９】（Ａ）は内側振動板部８１の断面形状が凸形状に形成されるとともに外側振動板部８２の断面形状が略直線形状に形成された振動板を示す図であり、（Ｂ）は（Ａ）に示した振動板を採用したスピーカ装置の音圧周波数特性のシミュレーション結果を示す図である。
【図１０】（Ａ）は内側振動板部８１の断面形状が略直線状に形成されるとともに外側振動板部８２の断面形状が略直線形状に形成され、内側振動板部８１の長さＡ（ｒ８１）が、外側振動板部８２の長さＢ（ｒ８２）よりも長い振動板を示す図であり、（Ｂ）は（Ａ）に示した振動板を採用したスピーカ装置の音圧周波数特性のシミュレーション結果を示す図である。
【図１１】（Ａ）は内側振動板部８１の断面形状が略直線状に形成されるとともに外側振動板部８２の断面形状が略直線形状に形成され、内側振動板部８１の長さＡ（ｒ８１）が、外側振動板部８２の長さＢ（ｒ８２）と同じ長さの振動板を示す図であり、（Ｂ）は（Ａ）に示した振動板を採用したスピーカ装置の音圧周波数特性のシミュレーション結果を示す図である。
【図１２】（Ａ）は内側振動板部８１の断面形状が略直線状に形成されるとともに外側振動板部８２の断面形状が略直線形状に形成され、内側振動板部８１の長さＡ（ｒ８１）が、外側振動板部８２の長さＢ（ｒ８２）より短い振動板を示す図であり、（Ｂ）は（Ａ）に示した振動板を採用したスピーカ装置の音圧周波数特性のシミュレーション結果を示す図である。
【図１３】（Ａ）は内側振動板部８１の断面形状が略直線状に形成されるとともに外側振動板部８２の断面形状が略直線形状に形成され、振動板の外周縁の直径（外径）が振動板の外周縁の高さｄ８の４．８倍に形成された振動板を示す図であり、（Ｂ）は（Ａ）に示した振動板を採用したスピーカ装置の音圧周波数特性のシミュレーション結果を示す図である。
【図１４】（Ａ）は内側振動板部８１の断面形状が略直線状に形成されるとともに外側振動板部８２の断面形状が略直線形状に形成され、振動板の外周縁の直径（外径）が振動板の外周縁の高さｄ８の３．８倍に形成された振動板を示す図であり、（Ｂ）は（Ａ）に示した振動板を採用したスピーカ装置の音圧周波数特性のシミュレーション結果を示す図である。
【図１５】（Ａ）は内側振動板部８１の断面形状が略直線状に形成されるとともに外側振動板部８２の断面形状が略直線形状に形成され、振動板の外周縁の直径（外径）が振動板の外周縁の高さｄ８の３．２倍に形成された振動板を示す図であり、（Ｂ）は（Ａ）に示した振動板を採用したスピーカ装置の音圧周波数特性のシミュレーション結果を示す図である。
【符号の説明】
【００６９】
１…ヨーク、１ａ…底部、１ｂ…側部、１ｃ…屈曲部、１ｄ…傾斜面部、１ｈ…孔部、２２，２１，２２…プレート、３，３１，３２…磁石、４，４ａ…内磁型磁気回路、４ｇ…磁気ギャップ、５…フレーム（スピーカフレーム）、５ａ…開口部、６…ボイスコイルボビン、７…ボイスコイル、８…振動板、８ａ…内周縁、８ｂ…外周縁、８ｃ…頂部、９…エッジ、９ａ…外周縁、９ｂ…内周縁、１０…ダンパ、１０ａ…外周縁、１０ｂ…内周縁、１１…センターキャップ部、１２…リード線、１３…孔、１４…入力端子部、５１…背面平坦部（底部）、５２…コーン形状部、５３，５４…平坦部、５５…フランジ、８１…内側振動板部、８２，８２ａ…外側振動板部、９０…接合部材、１００，１００ａ…スピーカ装置
【国際調査報告】
2007135746.tif 000018
2007135746.tif 000019
2007135746.tif 000020
2007135746.tif 000021